(57)【要約】【課題】利便性を向上できるサーキュレータを提供する。【解決手段】サーキュレータ（１）は、吸込口（２１ａ）と、この吸込口（２１ａ）と周方向で隣り合う吹出口（２１ｂ）とを有して柱状に延在するケーシング（２１）と、ケーシング（２１）内に配置され、ケーシング（２１）の延在方向と略平行な回転軸を有するクロスフローファン（２２）と、クロスフローファン（２２）を駆動するモータ（２３）とを備える。ケーシング（２１）は、室内の床上に設置したり、室内の壁または天井に取り付けたりすることが可能になっている。【選択図】図１
2019143848.tif 000002
【特許請求の範囲】
【請求項１】
吸込口（２１ａ）と、この吸込口（２１ａ）と周方向で隣り合う吹出口（２１ｂ）とを有して柱状に延在するケーシング（２１）と、
上記ケーシング（２１）内に配置され、上記ケーシング（２１）の延在方向と略平行な回転軸を有するクロスフローファン（２２）と、
上記クロスフローファン（２２）を駆動するモータ（２３）と
を備え、
上記ケーシング（２１）は、室内の床上に設置したり、上記室内の壁または天井に取り付けたりすることが可能になっていることを特徴とするサーキュレータ（１，２０１，３０１，３０１’，４０１）。
【請求項２】
請求項１に記載のサーキュレータ（１，２０１，３０１，３０１’，４０１）において、
上記吹出口（２１ｂ）を任意の方向に向けた状態で上記ケーシング（２１）を上記壁または天井に取り付けることが可能になっていることを特徴とするサーキュレータ（１，２０１，３０１，３０１’，４０１）。
【請求項３】
請求項１または２に記載のサーキュレータ（１，２０１，３０１，３０１’，４０１）において、
上記壁側を後側とし、上記壁とは反対側を前側としたとき、上記吸込口（２１ａ）が下側を向き、かつ、上記吹出口（２１ｂ）が前側の斜め上方を向くように、上記ケーシング（２１）が上記壁に取り付けられることを特徴とするサーキュレータ（１，２０１，３０１，３０１’，４０１）。
【請求項４】
請求項１または２に記載のサーキュレータ（１，２０１，３０１，３０１’，４０１）において、
上記壁側を後側とし、上記壁とは反対側を前側としたとき、上記吸込口（２１ａ）が上側を向き、かつ、上記吹出口（２１ｂ）が前側の斜め下方を向くように、上記ケーシング（２１）が上記壁に取り付けられることを特徴とするサーキュレータ（１，２０１，３０１，３０１’，４０１）。
【請求項５】
請求項１または２に記載のサーキュレータ（１，２０１，３０１，３０１’，４０１）において、
上記壁側を後側とし、上記壁とは反対側を前側としたとき、上記吸込口（２１ａ）が前側を向き、かつ、上記吹出口（２１ｂ）が後側の斜め下方を向くように、上記ケーシング（２１）が上記壁に取り付けられることを特徴とするサーキュレータ（１，２０１，３０１，３０１’，４０１）。
【請求項６】
請求項１から５までのいずれか一項に記載のサーキュレータ（１，２０１，３０１，３０１’，４０１）において、
上記ケーシング（２１）の延在方向の端部に着脱可能に取り付けられ、上記ケーシング（２１）を支持する支持台（３５）を備えることを特徴とするサーキュレータ（１，２０１，３０１，３０１’，４０１）。
【請求項７】
請求項１から６までのいずれか一項に記載のサーキュレータ（１，２０１，３０１，３０１’，４０１）において、
上記ケーシング（２１）の外周面を覆う筒形状のパンチングメタル（２４）を備えることを特徴とするサーキュレータ（１，２０１，３０１，３０１’，４０１）。
【請求項８】
請求項７に記載のサーキュレータ（１，２０１，３０１，３０１’，４０１）において、
上記吹出口（２１ｂ）に配置され、上記吹出口（２１ｂ）から吹き出される空気の風向を制御する風向羽根（５１）を備え、
上記風向羽根（５１）は上記パンチングメタル（２４）で覆われていることを特徴とするサーキュレータ（１，２０１，３０１，３０１’，４０１）。
【請求項９】
クロスフローファン（２２）と、
上記クロスフローファン（２２）を駆動するモータ（２３）と、
外部装置（２０４，２０６）と無線通信を行う無線通信部（２５５）と、
上記無線通信部（２５５）が上記外部装置（２０４，２０６）と行った無線通信の内容に基づいて、上記モータ（２３）の駆動を制御するモータ制御部（２６１ａ）と
を備えることを特徴とするサーキュレータ（２０１）。
【請求項１０】
室内の空調を行う室内機（３１１）と、
上記室内に設置されたサーキュレータ（３０１，３０１’）と、
上記室内機（３１１）の運転状態を検出する検出部（３６１ａ）と、
上記検出部（３６１ａ）によって検出された上記室内機（３１１）の運転状態に基づいて、上記サーキュレータ（３０１，３０１’）の運転を制御する運転制御部（３６１ｂ）と
を備え、
上記運転制御部（３６１ｂ）の制御により、上記サーキュレータ（３０１，３０１’）の運転は上記室内機（３１１）の運転と連動することを特徴とする室内環境調整システム。
【請求項１１】
請求項１０に記載の室内環境調整システムにおいて、
上記運転制御部（３６１ｂ）の制御により、上記室内機（３１１）の運転の開始に応じて、上記サーキュレータ（３０１，３０１’）の運転が開始することを特徴とする室内環境調整システム。
【請求項１２】
請求項１０または１１に記載の室内環境調整システムにおいて、
上記運転制御部（３６１ｂ）の制御により、上記室内機（３１１）の運転の停止に応じて、上記サーキュレータ（３０１，３０１’）の運転が停止することを特徴とする室内環境調整システム。
【請求項１３】
請求項１０から１２までのいずれか一項に記載の室内環境調整システムにおいて、
上記サーキュレータ（３０１’）は、
温度センサ（３７３）と湿度センサ（３７４）との少なくとも一方を有して、上記室内の温度と上記室内の湿度との少なくとも一方を検出する室内環境検出部（３７２）と、
上記室内環境検出部（３７２）の検出結果に基づいて、上記サーキュレータ（３０１’）の風量を制御する風量制御部（３６１ｃ）と
を有することを特徴とする室内環境調整システム。
【請求項１４】
室内の壁または天井に取り付けられるケーシング（２１）と、
上記ケーシング（２１）内に配置されたファン（２２）と、
上記ケーシング（２１）と上記壁または天井との間に配置された照明装置（４７５）と
を備えたことを特徴とするサーキュレータ（４０１）。
【請求項１５】
請求項１４に記載のサーキュレータ（４０１）において、
上記照明装置（４７５）は上記室内の天井に向けて光を照射することを特徴とするサーキュレータ（４０１）。
【発明の詳細な説明】
【技術分野】
【０００１】
この開示は、サーキュレータおよび室内環境調整システムに関する。
【背景技術】
【０００２】
従来、サーキュレータとしては特開平３−２６７５９７号公報（特許文献１）に開示されているように、室内の床上に設置されて、室内へ送風を行うものがある。
【先行技術文献】
【特許文献】
【０００３】
【特許文献１】特開平３−２６７５９７号公報
【発明の概要】
【発明が解決しようとする課題】
【０００４】
上記従来のサーキュレータは、室内の床上に設置した状態で使用する態様しかとれないので、利便性が低いという問題を有する。
【０００５】
この開示の課題は、利便性を向上できるサーキュレータを提供することにある。
【課題を解決するための手段】
【０００６】
この開示の一態様に係るサーキュレータは、
吸込口と、この吸込口と周方向で隣り合う吹出口とを有して柱状に延在するケーシングと、
上記ケーシング内に配置され、上記ケーシングの延在方向と略平行な回転軸を有するクロスフローファンと、
上記クロスフローファンを駆動するモータと
を備え、
上記ケーシングは、室内の床上に設置したり、上記室内の壁または天井に取り付けたりすることが可能になっている。
【０００７】
上記構成によれば、上記ケーシングは、室内の床上に設置したり、室内の壁または天井に取り付けたりすることが可能になっているので、利便性を向上することができる。
【０００８】
一実施形態のサーキュレータでは、
上記吹出口を任意の方向に向けた状態で上記ケーシングを上記壁または天井に取り付けることが可能になっている。
【０００９】
上記実施形態によれば、上記吹出口を任意の方向に向けた状態でケーシングを室内の壁または天井に取り付けることが可能になっているので、利便性をさらに向上させることができる。
【００１０】
一実施形態のサーキュレータでは、
上記壁側を後側とし、上記壁とは反対側を前側としたとき、上記吸込口が下側を向き、かつ、上記吹出口が前側の斜め上方を向くように、上記ケーシングが上記壁に取り付けられる。
【００１１】
上記実施形態によれば、上記吸込口が下側を向き、かつ、吹出口が前側の斜め上方を向くように、ケーシングを壁に取り付けることにより、室内の鉛直方向の温度むらを低減することができる。
【００１２】
一実施形態のサーキュレータでは、
上記壁側を後側とし、上記壁とは反対側を前側としたとき、上記吸込口が上側を向き、かつ、上記吹出口が前側の斜め下方を向くように、上記ケーシングが上記壁に取り付けられる。
【００１３】
上記実施形態によれば、上記吸込口が上側を向き、かつ、吹出口が前側の斜め下方を向くように、ケーシングを壁に取り付けることにより、室内の水平方向の温度むらを低減することができる。
【００１４】
一実施形態のサーキュレータでは、
上記壁側を後側とし、上記壁とは反対側を前側としたとき、上記吸込口が前側を向き、かつ、上記吹出口が後側の斜め下方を向くように、上記ケーシングが上記壁に取り付けられる。
【００１５】
上記実施形態によれば、上記吸込口が前側を向き、かつ、吹出口が後側の斜め下方を向くように、ケーシングを壁に取り付けることにより、エアカーテンを発生させることができる。
【００１６】
一実施形態のサーキュレータは、
上記ケーシングの延在方向の端部に着脱可能に取り付けられ、上記ケーシングを支持する支持台を備える。
【００１７】
上記実施形態によれば、上記ケーシングを支持する支持台は、ケーシングの延在方向の端部に着脱可能に取り付けられるので、使用態様が減少しない。
【００１８】
一実施形態のサーキュレータは、
上記ケーシングの外周面を覆う筒形状のパンチングメタルを備える。
【００１９】
上記実施形態によれば、上記筒形状のパンチングメタルがケーシングの外周面を覆うので、美観を向上させることができる。
【００２０】
一実施形態のサーキュレータは、
上記吹出口に配置され、上記吹出口から吹き出される空気の風向を制御する風向羽根を備え、
上記風向羽根は上記パンチングメタルで覆われている。
【００２１】
上記実施形態によれば、上記パンチングメタルが風向羽根を覆うので、美観の低下を抑制することができる。
【００２２】
また、上記特許文献１のサーキュレータは、ケーシング内に配置されたファンと、このファンを駆動するモータと備える。このモータがファンを駆動することによって、室内への送風が行われる。
【００２３】
ところで、上記特許文献１には、サーキュレータが外部装置との無線通信を行うことについて記載がない。
【００２４】
したがって、上記特許文献１のサーキュレータは、利便性が低いという問題がある。
【００２５】
この開示の一態様のサーキュレータは、
クロスフローファンと、
上記クロスフローファンを駆動するモータと、
外部装置と無線通信を行う無線通信部と、
上記無線通信部が上記外部装置と行った無線通信の内容に基づいて、上記モータの駆動を制御するモータ制御部と
を備える。
【００２６】
上記構成によれば、上記無線通信部は外部装置と無線通信を行うので、利便性を向上させることができる。
【００２７】
また、上記特許文献１には、サーキュレータの運転が例えば空気調和機の室内機の運転と連動することについて記載がない。
【００２８】
したがって、上記特許文献１のサーキュレータには、操作に関してユーザの負担を軽減できないという問題ある。
【００２９】
この開示の一態様の室内環境調整システムは、
室内の空調を行う室内機と、
上記室内に設置されたサーキュレータと、
上記室内機の運転状態を検出する検出部と、
上記検出部によって検出された上記室内機の運転状態に基づいて、上記サーキュレータの運転を制御する運転制御部と
を備え、
上記運転制御部の制御により、上記サーキュレータの運転は上記室内機の運転と連動する。
【００３０】
上記構成によれば、上記運転制御部の制御により、上記サーキュレータの運転は室内機の運転と連動するので、サーキュレータの操作に関してユーザの負担を軽減することができる。
【００３１】
一実施形態の室内環境調整システムは、
上記運転制御部の制御により、上記室内機の運転の開始に応じて、上記サーキュレータの運転が開始する。
【００３２】
上記実施形態によれば、上記運転制御部の制御により、室内機の運転の開始に応じて、サーキュレータの運転が開始するので、室内機による室内の空調を自動的に補助することができる。
【００３３】
一実施形態の室内環境調整システムでは、
上記運転制御部の制御により、上記室内機の運転の停止に応じて、上記サーキュレータの運転が停止する。
【００３４】
上記実施形態によれば、上記運転制御部の制御により、室内機の運転の停止に応じて、サーキュレータの運転が停止するので、ユーザはサーキュレータの停止操作を行わずに済む。
【００３５】
この一実施形態の室内環境調整システムでは、
上記サーキュレータは、
温度センサと湿度センサとの少なくとも一方を有して、上記室内の温度と上記室内の湿度との少なくとも一方を検出する室内環境検出部と、
上記室内環境検出部の検出結果に基づいて、上記サーキュレータの風量を制御する風量制御部と
を有する。
【００３６】
上記実施形態によれば、上記風量制御部が、室内環境検出部の検出結果に基づいて、サーキュレータの風量を制御するので、室内の空調をきめ細やかにすることができる。
【００３７】
上記特許文献１には、室内を照らす照明装置をサーキュレータに搭載することについて記載がない。
【００３８】
したがって、上記特許文献１のサーキュレータは、室内を照らすことができないという問題がある。
【００３９】
この開示の一態様のサーキュレータは、
室内の壁または天井に取り付けられるケーシングと、
上記ケーシング内に配置されたファンと、
上記ケーシングと上記壁または天井との間に配置された照明装置と
を備える。
【００４０】
上記構成によれば、上記ケーシングと壁または天井との間に照明装置が配置されているので、室内を照らすことできる。
【００４１】
一実施形態のサーキュレータでは、
上記照明装置は上記室内の天井に向けて光を照射する。
【００４２】
上記実施形態によれば、上記照明装置が室内の天井に向けて光を照射するので、天井からの間接光で室内を照らすことができる。
【図面の簡単な説明】
【００４３】
【図１】この開示の第１実施形態のサーキュレータの分解斜視図である。
【図２】上記サーキュレータの概略斜視図である。
【図３】上記サーキュレータの他の概略斜視図である。
【図４】上記サーキュレータの一部の概略断面図である。
【図５】上記サーキュレータの他の概略断面図である。
【図６】上記第１実施形態のケーシングの取り付け方法を説明するための概略斜視図である。
【図７】上記第１実施形態のケーシングの取り付け方法を説明するための概略側面図である。
【図８】上記第１実施形態のケーシングの取り付け状態を示すための概略斜視図である。
【図９】図８のケーシング周辺の風の流れを説明するための模式図である。
【図１０】冷房運転時の室内空気の流れを説明するための模式図である。
【図１１】暖房運転時の室内空気の流れを説明するための模式図である。
【図１２】上記第１実施形態のケーシングの他の取り付け状態を示すための概略斜視図である。
【図１３】図１２のケーシング周辺の風の流れを説明するための模式図である。
【図１４】室内の模式平面図である。
【図１５】上記第１実施形態のケーシングの他の取り付け状態を示すための概略斜視図である。
【図１６】図１５のケーシング周辺の風の流れを説明するための模式図である。
【図１７】室内の出入口周辺の模式斜視図である。
【図１８】床上に設置されサーキュレータの概略斜視図である。
【図１９】スピーカ内蔵カバーの概略斜視図である。
【図２０】アロマカバーの概略斜視図である。
【図２１】この開示の第２実施形態の送風システムのブロック図である。
【図２２】この開示の第３実施形態の室内機の概略斜視図である。
【図２３】この開示の第３実施形態の室内環境調整システムのブロック図である。
【図２４】上記室内環境調整システムの変形例のブロック図である。
【図２５】この開示の第４実施形態のサーキュレータ４０１の概略斜視図である。
【発明を実施するための形態】
【００４４】
以下、図面を用いて、この開示の実施形態を説明する。なお、各図において共通する部分には同一の符号を付し、重複した説明を省略する。
【００４５】
〔第１実施形態〕
図１は、この開示の第１実施形態のサーキュレータ１の分解斜視図である。
【００４６】
サーキュレータ１は、サーキュレータ本体２を備え、付属品群３の一部をサーキュレータ本体２の設置場所に応じて使用する。
【００４７】
サーキュレータ本体２は、ケーシング２１と、このケーシング２１内に配置されるクロスフローファン２２と、このクロスフローファン２２を駆動するファンモータ２３とを有する。なお、ファンモータ２３はモータの一例である。
【００４８】
ケーシング２１は、付属品群３を用いて、室内の床上に設置したり、室内の壁または天井に取り付けたりすることが可能になっている。また、ケーシング２１は、例えば複数の吸込口２１ａ,２１ａ,…,２１ａと、例えば１つの吹出口２１ｂとを有し、柱状に延在する。より詳しく説明すると、ケーシング２１は、底フレーム４１と、この底フレーム４１に例えばネジで固定されるグリル４２とで構成される。このグリル４２が複数の吸込口２１ａ,２１ａ,…,２１ａを有する。複数の吸込口２１ａ,２１ａ,…,２１ａはケーシング２１の延在方向に沿って並んでいる。また、底フレーム４１の切り欠き部４１ａとグリル４２の切り欠き部４２ａとが、吹出口２１ｂを画定する。この吹出口２１ｂは、ケーシング２１の延在方向に沿って延在し、ケーシング２１の周方向で各吸込口２１ａと隣り合う。
【００４９】
吹出口２１ｂには、吹出口２１ｂから吹き出される空気の風向を制御する風向羽根５１が配置される。この風向羽根５１は、底フレーム４１に回動可能に取り付けられ、ステッピングモータ５２で駆動される。底フレーム４１にグリル４２を例えばネジで固定したとき、ステッピングモータ５２は、底フレーム４１とグリル４２とで挟持されるので、底フレーム４１およびグリル４２にネジなどで固定されない。
【００５０】
グリル４２の各端面には、例えば２つのクリップナット８１，８１が取り付けられ、かつ、底フレーム４１の各端面には、例えば２つのクリップナット８１，８１が取り付けられる。このとき、ケーシング２１の各端面には、４つのクリップナット８１，８１，８１，８１が取り付けられた状態となる。
【００５１】
また、ケーシング２１内には、舌部５３、電装品箱５４も配置される。
【００５２】
舌部５３は、ケーシング２１の延在方向に沿って延在し、クロスフローファン２２に径方向から対向する。また、舌部５３は、軽量化のため、例えばＥＰＳ（発泡スチロール）で形成される。電装品箱５４は、ケーシング２１の延在方向において、ファンモータ２３と隣り合う。
【００５３】
電装品箱５４内には、制御装置６１などが入っている。この制御装置６１は、マイクロコンピュータなどで構成され、ファンモータ２３、ステッピングモータ５２などを制御する。
【００５４】
また、ケーシング２１の外周面には、ＬＥＤ（発光ダイオード）を有する表示部７１が取り付けられる。このＬＥＤは、クロスフローファン２２の駆動中、点灯状態となる一方、クロスフローファン２２の停止中、非点灯状態となる。
【００５５】
クロスフローファン２２は、ケーシング２１の延在方向と略平行な回転軸を有する。このクロスフローファン２２の一端面の中央部には、軸受９５で回転可能に支持される軸部（図示せず）が設けられている。また、クロスフローファン２２の他端面の中央部には、ボス部（図示せず）が形成されている。このボス部にはファンモータ２３の回転軸（図示せず）が連結される。これにより、ファンモータ２３の回転軸（図示せず）が回転すると、クロスフローファン２２がファンモータ２３の回転軸と一体に回転する。
【００５６】
また、サーキュレータ本体２は、ケーシング２１の外周面の全部を覆う筒形状のパンチングメタル２４と、第１，第２押さえリング９１Ａ，９１Ｂとを備える。
【００５７】
パンチングメタル２４の開口（図示せず）は、パンチングメタル２４の軸方向の一端とパンチングメタル２４の軸方向の他端との間の各部で全周に渡って形成されている。これにより、各吸込口２１ａおよび吹出口２１ｂが、ケーシング２１の径方向において、パンチングメタル２４の複数の開口と対向する。なお、各吸込口２１ａおよび吹出口２１ｂとパンチングメタル２４との間において、フィルタは配置されない。
【００５８】
サーキュレータ１の付属品群３は、化粧カバー３１と、据付板３２と、第１，第２壁固定具３３Ａ，３３Ｂと、第１，第２大カバー３４Ａ，３４Ｂと、支持台の一例としての据付台３５と、第１，第２小カバー４０Ａ，４０Ｂとを有する。この化粧カバー３１、第１，第２大カバー３４Ａ，３４Ｂ、据付台３５および第１，第２小カバー４０Ａ，４０Ｂの材料として、例えば樹脂が使われる。また、据付板３２および第１，第２壁固定具３３Ａ，３３Ｂの材料として、例えば金属が使われる。
【００５９】
据付台３５は、製造および輸送のし易さの観点から、第１台部材３６と第２台部材３７とを組み合せることで得られるようにしている。
【００６０】
第１大カバー３４Ａは円板形状の凹部を有する。この凹部の底部には、９０度の位相間隔で４つの貫通孔１３８Ａ，１３８Ａ，１３８Ａ，１３８Ａが形成されている。この第１大カバー３４Ａの凹部には、第１小カバー４０Ａが嵌合可能となっている。
【００６１】
第２大カバー４０Ｂも、第１大カバー３４Ａと同様に、４つの貫通孔１３８Ａ，１３８Ａ，１３８Ａ，１３８Ａを円板形状の凹部の底部に有する。この第２大カバー４０Ｂの凹部には、第２小カバー４０Ｂが嵌合可能となっている。
【００６２】
なお、図１の９６は補強板である。この補強板９６，９６，…，９６は、パンチングメタル２４と風向羽根５１との間に位置するように、ケーシング２１の吹出口２１ｂの周縁部に取り付けられる。このとき、補強板９６，９６，…，９６は、ケーシング２１の延在方向に沿って互いに間隔をあけて配列されている。
【００６３】
図２は、室内の壁に取り付けられたときのサーキュレータ１を前側から見たときの概略斜視図である。また、図３は、室内の壁に取り付けられたときのサーキュレータ１を後側から見たときの概略斜視図である。なお、上記前側は壁とは反対側を意味する。また、上記後側は壁側を意味する。
【００６４】
上記室内の壁にサーキュレータ１を取り付ける場合、図２，図３に示すように、化粧カバー３１、据付板３２、第１，第２壁固定具３３Ａ，３３Ｂ、第１，第２大カバー３４Ａ，３４Ｂおよび第１，第２小カバー４０Ａ，４０Ｂが使用される。このとき、ユーザは、吹出口２１ｂ（図１に示す）を任意の方向に向けた状態で、室内の壁にサーキュレータ１を取り付けることが可能になっている。より具体的に言うと、室内の壁にサーキュレータ１を取り付けたとき、前側の斜め上方と、前側の斜め下方と、後側の斜め上方と、後側の斜め下方とのうちのいずれかの方向に、吹出口２１ｂを向けることが可能になっている。
【００６５】
ここで、吹出口２１ｂが前側の斜め上方または後側の斜め上方に向いたとき、吸込口２１ａ,２１ａ,…,２１ａ（図１に示す）はサーキュレータ本体２の下側の室内空気を吸い込むことが可能となる。また、吹出口２１ｂが前側の斜め下方に向いたとき、吸込口２１ａ,２１ａ,…,２１ａはサーキュレータ本体２の上側の室内空気を吸い込むことが可能となる。また、吹出口２１ｂが後側の斜め下方に向いたとき、吸込口２１ａ,２１ａ,…,２１ａはサーキュレータ本体２の前側の室内空気を吸い込むことが可能となる。
【００６６】
図４は、ケーシング２１の延在方向に平行な面でケーシング２１などを切ったときの概略断面である。なお、図４では、小円内の部分を拡大して大円内で示し、ケーシング２１内のクロスフローファン２２などの図示を省略している。
【００６７】
第１押さえリング９１Ａは、環状の底部９２Ａと、この底部９２Ａの外周縁部に立設された筒形状の周壁部９２Ｂとからなっている。この底部９２Ａは、ケーシング２１の一端面の外周縁部に設けられた段部２１ｃに嵌合する。また、周壁部９２Ｂは、パンチングメタル２４の軸方向の一端部に外嵌する。第２押さえリング９１Ｂも、第１押さえリング９１Ａと同様に、パンチングメタル２４の軸方向の他端部と、ケーシング２１の一端面とに取り付けられる。
【００６８】
図５は、ケーシング２１の延在方向に垂直面でサーキュレータ１を概略断面図である。ここで、サーキュレータ１は室内の壁に取り付けられる。なお、図５において、補強板９６の図示を省略している。
【００６９】
舌部５３は吸込口２１ａ,２１ａ,…,２１ａと吹出口２１ｂとの間に配置されている。また、舌部５３は、ケーシング２１の内周面に接するが、クロスフローファン２２との間に所定隙間を有する。このような舌部５３により、吸込口２１ａ,２１ａ,…,２１ａからケーシング２１内に吸い込まれた空気がクロスフローファン２２を経由せずに吹出口２１ｂに流れないようになっている。
【００７０】
また、風向羽根５１は、パンチングメタル２４の径方向内側に配置され、パンチングメタル２４で覆われている。
【００７１】
図６は、室内の壁にケーシング２１を取り付けるための方法について説明するための概略斜視図である。また、図７は、室内の壁にケーシング２１を取り付けるための方法について説明するための概略側面図である。
【００７２】
第２壁固定具３３Ｂは、図６，図７に示すように、円板形状の本体部１３１Ｂと、この本体部１３１Ｂの外周縁部に連なる連結部１３２Ｂと、この本体部１３１Ｂの外周縁部に連なる係合部１３９Ｂとで構成されている。
【００７３】
本体部１３１Ｂは、正方形状の貫通孔１３３Ｂを中央部に有する。この貫通孔１３３Ｂの周囲において、例えば、貫通孔１３４Ｂとネジ孔１３４Ｂ’とが交互に４５度の位相間隔で形成されている。すなわち、本体部１３１Ｂは、４個の貫通孔１３４Ｂ，１３４Ｂ，１３４Ｂ，１３４Ｂと、４個のネジ孔１３４Ｂ’，１３４Ｂ’，１３４Ｂ’，１３４Ｂ’とを有する。この４個の貫通孔１３４Ｂ，１３４Ｂ，１３４Ｂ，１３４Ｂと、４個のネジ孔１３４Ｂ’，１３４Ｂ’，１３４Ｂ’，１３４Ｂ’とは、貫通孔１３３Ｂの回転対称の中心を中心として持つ仮想円と交差するように形成される。別の言い方をすれば、貫通孔１３３Ｂの回転対称の中心から各貫通孔１３４Ｂの中心までの距離と、貫通孔１３３Ｂの回転対称の中心から各ネジ孔１３４Ｂ’の中心のまでの距離とは、略同一になっている。また、貫通孔１３４Ｂの径は、ネジ孔１３４Ｂの径よりも、大きくなっている。
【００７４】
連結部１３２Ｂは、本体部１３１Ｂの外周縁部から壁に向かって延在する第１延在部１３５Ｂと、この第１延在部１３５Ｂの壁側の端部に連なって壁面に沿って水平方向に延在する第２延在部１３６Ｂと、第２延在部１３６Ｂの先端部から下方に向かって延在する第３延在部１３７Ｂとを有する。この第３延在部１３７Ｂは連結部１３２Ｂの先端部となる。
【００７５】
係合部１３９Ｂは、連結部１３２Ｂとの間に間隔を有し、本体部１３１Ｂの外周縁部から壁に向かって延在する。
【００７６】
また、図１に示すように、第１壁固定具３３Ａは、第２壁固定具３３Ｂと同様に、本体部１３１Ａ、連結部１３２Ａおよび係合部１３９Ａで構成されている。
【００７７】
また、図６，図７に示すように、化粧カバー３１は、パンチングメタル２４の軸方向の長さと略同じ長さに形成され、一部がパンチングメタル２４と据付板３２との間に配置される。また、化粧カバー３１には、第１壁固定具３３Ａの連結部１３２Ｂが挿通される第１貫通孔３１ａと、第２壁固定具３３Ｂの連結部１３２Ｂが挿通される第２貫通孔３１ｂとが形成されている。
【００７８】
据付板３２は、例えばプレス加工で形成されて屈曲部３２ａを有する。この屈曲部３２ａは、パンチングメタル２４の軸方向に沿って延在している。この屈曲部３２ａは第１，第２貫通孔３２ｂ，３２ｃを有する。この第１貫通孔３２ｂは、屈曲部３２ａにおいて化粧カバー３１の第１貫通孔３１ａに対向する部分に形成され、上方に開口している。また、第２貫通孔３２ｃは、屈曲部３２ａにおいて化粧カバー３１の第２貫通孔３１ｂに対向する部分に形成され、上方に開口している。また、第１壁固定具３３Ａの連結部１３２Ａは、先端部が据付板３２の第１貫通孔３２ｂに挿入さて、据付板３２の屈曲部３２ａに係止される。また、第２壁固定具３３Ｂの連結部１３２Ｂは、先端部が据付板３２の第２貫通孔３２ｂに挿入されて、据付板３２の屈曲部３２ａに係止される。
【００７９】
ケーシング２１の他端面の中央部には、第２壁固定具３３Ｂの貫通孔１３３Ｂに嵌合する枠部２１ｄが形成されている。この枠部２１ｄは、正方形状の枠体の一部を切り欠いたような形状を有する。また、枠部２１ｄの周囲には、例えば４つのクリップナット８１，８１，８１，８１が９０度の位相間隔で配置されている。枠部２１ｄが第２壁固定具３３Ｂの貫通孔１３３Ｂに嵌合したとき、４つのクリップナット８１，８１，８１，８１の各ネジ孔が第２壁固定具３３Ｂの貫通孔１３４Ｂに対向するように、枠部２１ｄが形成されている。このとき、４つのクリップナット８１，８１，８１，８１の各ネジ孔に、、貫通孔１３４Ｂに挿通させたネジを螺合させて、ケーシング２１の他端面に第２壁固定具３３Ｂを固定する。また、第２壁固定具３３Ｂのネジ孔１３４Ｂ’，１３４Ｂ’，１３４Ｂ’，１３４Ｂ’に、図１に示す第２大カバー３４Ｂの４つの貫通孔１３８Ｂ，１３８Ｂ，１３８Ｂ，１３８Ｂに挿通させたネジを螺合させて、第２壁固定具３３Ｂに第２大カバー３４Ｂを固定する。また、第２大カバー３４Ｂの凹部に第２小カバー４０Ｂを嵌合させて、第２大カバー３４Ｂの貫通孔１３８Ｂ，１３８Ｂ，１３８Ｂ，１３８Ｂが外部から見えないようにする。
【００８０】
ケーシング２１の一端面も、ケーシング２１の他端面と同様の構造を有する。すなわち、図４に示すように、ケーシング２１の一端面の中央部には、枠部２１ｄと同形状の枠部２１ｅがあり、図１に示すように、例えば４つのクリップナット８１，８１，８１，８１が枠部２１ｅの周囲に配置される。このとき、ケーシング２１の一端面には、第２壁固定具３３Ｂと同様に、第１壁固定具３３Ａがネジで固定される。また、第１壁固定具３３Ａには、第２大カバー３４Ｂと同様に、第１大カバー３４Ａがネジで固定される。このとき、第１大カバー３４Ａの貫通孔１３８Ａ，１３８Ａ，１３８Ａ，１３８Ａは第２小カバー４０Ａで覆われる。
【００８１】
以下、室内の壁にケーシング２１を取り付けるための方法について説明する。なお、据付板３２は、壁の所望箇所に例えばネジで予め固定されているものとする。
【００８２】
まず、図１，図４，図６，図７に示すように、第１壁固定具３３Ａの貫通孔１３３Ｂにケーシング２１の一端面の枠部２１ｅを嵌合させる。そして、ケーシング２１の一端面に第１壁固定具３３Ａをネジで固定した後、第１壁固定具３３Ａに第１大カバー３４Ａをネジで固定する。そして、第１大カバー３４Ａの凹部に第１小カバー４０Ａを嵌合させる。
【００８３】
次に、ケーシング２１の一端面に第１壁固定具３３Ａおよび第１大カバー３４Ａに固定した方法と同様の方法で、ケーシング２１の他端面に第２壁固定具３３Ｂおよび第２大カバー３４Ｂに固定する。また、第２大カバー３４Ｂの凹部には第２小カバー４０Ｂを嵌合させる。
【００８４】
最後に、化粧カバー３１の第１，第２貫通孔３１ａ，３１ｂに第１，第２壁固定具３３Ａ，３３Ｂの連結部１３２Ａ，１３２Ｂおよび係合部１３９Ａ，１３９Ｂを挿通して、第１，第２壁固定具３３Ａ，３３Ｂの連結部１３２Ｂの先端部を据付板３２の第１，第２貫通孔３２ｂ，３２ｃに挿入する。これにより、第１，第２壁固定具３３Ａ，３３Ｂの連結部１３２Ｂの先端部が据付板３２の屈曲部３２ａに係止される。また、第１，第２壁固定具３３Ａ，３３Ｂの係合部１３９Ｂが据付板３２の屈曲部３２ａに係合する。
【００８５】
このように、上記室内の壁にケーシング２１を取り付けるとき、ケーシング２１を周方向に９０度回転させて、第１，第２壁固定具３３Ａ，３３Ｂの各貫通孔１３４Ｂと各クリップナット８１のネジ孔との対向関係を変更させると、前側の斜め上方と、前側の斜め下方と、後側の斜め上方と、後側の斜め下方とのうちのいずれかの方向に向けることができる。
【００８６】
以下、室内の鉛直方向の温度むらをサーキュレータ１で解消する方法について説明する。なお、この説明では、壁側を後側とし、壁とは反対側を前側と言う。
【００８７】
上記室内の鉛直方向の温度むらをサーキュレータ１で解消する場合、図８に示すように、吸込口２１ａ,２１ａ,…,２１ａが下側を向き、かつ、吹出口２１ｂが前側の斜め上方を向くように、室内の壁にケーシング２１を取り付ける。別の言い方をすれば、室内の壁にケーシング２１を取り付けた状態で、室内空気が吸込口２１ａ,２１ａ,…,２１ａに吸い込まれて吹出口２１ｂから吹き出されるとき、図９に示すように、矢印Ａ１１，Ａ１２に沿うような室内空気の流れが発生するように、吸込口２１ａ,２１ａ,…,２１ａおよび吹出口２１ｂを位置決めする。
【００８８】
このようなケーシング２１の取り付けを行うと、吹出口２１ｂから吹き出された室内空気は、仮想直線Ｌ１１と仮想直線Ｌ１２とで挟まれる領域を流れる。このとき、仮想直線Ｌ１１近傍において、最大風量および最大風速が得られる。
【００８９】
また、例えば、図１０に示すように、空気調和機の室内機１１が冷房運転を行っているとき、サーキュレータ１は、室内の下部空間に集中する冷気を、室内の上部空間に送ることができる。また、上記冷気が室内の上部空間に送られると、室内の上部空間の暖気を室内機１１へ流すこともできる。
【００９０】
また、例えば、図１１に示すように、室内機１１が暖房運転を行っているとき、サーキュレータ１は、室内の下部空間の一部に残る冷気を、室内の上部空間に送ることができる。また、上記冷気が室内の上部空間側に移動することにより、その冷気が残っていた空間に暖気を流すことができる。
【００９１】
したがって、冷房運転時および暖房運転時、室内空気を鉛直方向に沿うように循環させることができるので、室内の鉛直方向の温度むらを低減することができる。
【００９２】
なお、図９の仮想直線Ｌ１１は、略水平方向に沿って延在する仮想線である。また、図１０，図１１において、サーキュレータ１が取り付けられている壁は、室内機１１が取り付けられている壁に対向する。
【００９３】
以下、室内の水平方向の温度むらをサーキュレータ１で解消する方法について説明する。なお、この説明では、壁側を後側とし、壁とは反対側を前側と言う。
【００９４】
上記室内の水平方向の温度むらをサーキュレータ１で解消する場合、図１２に示すように、吸込口２１ａ,２１ａ,…,２１ａが上側を向き、かつ、吹出口２１ｂが前側の斜め下方を向くように、室内の壁にケーシング２１を取り付ける。別の言い方をすれば、室内の壁にケーシング２１を取り付けた状態で、室内空気が吸込口２１ａ,２１ａ,…,２１ａに吸い込まれて吹出口２１ｂから吹き出されるとき、図１３に示すように、矢印Ａ２１，Ａ２２に沿うような室内空気の流れが発生するように、吸込口２１ａ,２１ａ,…,２１ａおよび吹出口２１ｂを位置決めする。
【００９５】
このようなケーシング２１の取り付けを行うと、吹出口２１ｂから吹き出された室内空気は、仮想直線Ｌ２１と仮想直線Ｌ２２とで挟まれる領域を流れる。このとき、仮想直線Ｌ２１近傍において、最大風量および最大風速が得られる。
【００９６】
また、例えば、図１４に示すように、室内の空間が平面視Ｌ字形状を呈するとき、室内機１１だけでは、室内機１１で空調された空気（例えば冷気または暖気）が室内の空間の一部（以下、「死角空間」と言う。）に供給され難くなるという問題が生じる。
【００９７】
そこで、上記問題を解決するため、室内において死角空間に対向する壁に、サーキュレータ１を取り付ける。このとき、上記壁へのケーシング２１の取り付けは、図１３の矢印Ａ２１，Ａ２２に沿うような室内空気の流れが生じるように行う。その結果、サーキュレータ１は、図１４に示すように、死角空間に冷気または暖気を送ることができる。
【００９８】
したがって、冷房運転時および暖房運転時、サーキュレータ１は室内機１１で空調された空気を死角空間に送ることができるので、室内の水平方向の温度むらを低減することができる。
【００９９】
なお、図１３の仮想直線Ｌ２１は、略水平方向に沿って延在する仮想線である。
【０１００】
以下、サーキュレータ１でエアカーテンを発生させる方法について説明する。なお、この説明では、壁側を後側とし、壁とは反対側を前側と言う。
【０１０１】
上記サーキュレータ１でエアカーテンを発生させる場合、図１５に示すように、吸込口２１ａ,２１ａ,…,２１ａが前側を向き、かつ、吹出口２１ｂが後側の斜め下方を向くように、壁にケーシング２１を取り付ける。別の言い方をすれば、壁にケーシング２１を取り付けた状態で、室内空気が吸込口２１ａ,２１ａ,…,２１ａに吸い込まれて吹出口２１ｂから吹き出されるとき、図１６に示すように、矢印Ａ３１，Ａ３２に沿うような室内空気の流れが発生するように、吸込口２１ａ,２１ａ,…,２１ａおよび吹出口２１ｂを位置決めする。
【０１０２】
このようなケーシング２１の取り付けを行うと、吹出口２１ｂから吹き出された室内空気は、仮想直線Ｌ３１と仮想直線Ｌ３２とで挟まれる領域を流れる。このとき、仮想直線Ｌ３１近傍において、最大風量および最大風速が得られる。
【０１０３】
また、例えば、図１７に示すように、室内の出入口にドアがないと、室内機１１が室内の空気を空調しても、空調された空気が出入口から室外に流出して、空調効率が低くなるという問題が生じる。
【０１０４】
そこで、上記問題を解決するため、図１６の矢印Ａ３１，Ａ３２に沿うような室内空気の流れが生じるように、室内において出入口の上側の壁に、ケーシング２１を取り付ける。その結果、サーキュレータ１によって、図１７に示すように、出入口の上側から下側に向かう空気流が生じる。すなわち、出入口のエアカーテンを作ることができる。
【０１０５】
したがって、冷房運転時、暖房運転時などにおいて、室内空気が出入口から流出するのをエアカーテンで抑制できるので、空調効率を上げることができる。
【０１０６】
なお、図１６の仮想直線Ｌ３１は、略鉛直方向に沿って延在する仮想線である。
【０１０７】
図１８は、室内の床上に設置されたサーキュレータ１の概略斜視図である。
【０１０８】
上記室内の床上にサーキュレータ本体２を設置するとき、第１大カバー３４Ａ、据付台３５および第１小カバー４０Ａが使用される。より詳しく説明すると、ケーシング２１の一端面の各クリップナット８１に、第１大カバー３４Ａの貫通孔１３８Ａに挿通させたネジを螺合させる。これにより、第１大カバー３４Ａはケーシング２１の一端面にネジで固定される。また、ケーシング２１の他端面の各クリップナット８１のネジ孔には、据付台３５の貫通孔に挿通させたネジを螺合させる。これにより、据付台３５がケーシング２１の他端面にネジで固定される。このとき、据付台３５の上面に設けられた凹部にサーキュレータ本体２の図中下側端部が嵌合して、ケーシング２１が据付台３５で支持される。なお、ケーシング２１の一端面と第１大カバー３４Ａとの間には、第１壁固定具３３Ａを介在させない。また、ケーシング２１の他端面と据付台３５との間には、第２壁固定具３３Ｂを介在させない。
【０１０９】
上記構成のサーキュレータ１では、室内の床上にサーキュレータ本体２を設置することが可能である。したがって、室内の床上にサーキュレータ本体２を設置すると、室内の下部空間の空気を効果的に撹拌することができる。
【０１１０】
また、サーキュレータ本体２は、室内の壁に取り付けることも可能である。したがって、室内の壁にサーキュレータ本体２を取り付けると、室内の上部空間の空気を効果的に撹拌することができる。
【０１１１】
このように、サーキュレータ１は、使用態様が一つに限定されないので、利便性が高いくなっている。
【０１１２】
また、吹出口２１ｂを任意の方向に向けた状態でサーキュレータ本体２を室内の壁に取り付けることが可能になっているので、利便性をさらに向上させることができる。
【０１１３】
また、据付台３５はケーシング２１の他端面にネジで固定されるが、このネジを緩めることにより、ケーシング２１の他端面から据付台３５を取り外すことができる。したがって、室内の床上にサーキュレータ本体２を設置した後でも、サーキュレータ本体２の設置場所を室内の壁に変更することができる。すなわち、室内の床上にサーキュレータ本体２を設置しても、サーキュレータ１の使用態様は減少しない。
【０１１４】
また、パンチングメタル２４がケーシング２１の外周面を覆うので、外部からケーシング２１が見え難くなり、美観を向上させることができる。
【０１１５】
また、パンチングメタル２４が風向羽根５１を覆うので、外部から風向羽根５１が見え難くなり、美観の低下を抑制することができる。
【０１１６】
また、パンチングメタル２４が各吸込口２１ａおよび吹出口２１ｂに覆うので、パンチングメタル２４で埃を捕獲することができる。したがって、パンチングメタル２４と各吸込口２１ａおよび吹出口２１ｂとの間にフィルタを配置しなくて済む。
【０１１７】
また、パンチングメタル２４と各吸込口２１ａおよび吹出口２１ｂとの間にフィルタを配置していないので、パンチメタルを清掃するとき、パンチングメタル２４の清掃性は良好である。
【０１１８】
また、パンチングメタル２４が各吸込口２１ａおよび吹出口２１ｂに覆うので、各吸込口２１ａに吸い込まれる風の乱れと、吹出口２１ｂから吹き出される風の乱れとを、パンチグメタルで整えて、静音効果が得られる。
【０１１９】
また、パンチングメタル２４が各吸込口２１ａおよび吹出口２１ｂを覆うので、ユーザの指が各吸込口２１ａおよび吹出口２１ｂに挿入されるのを防いで、安全性を高めることができる。
【０１２０】
また、パンチングメタル２４の開口の大きさや形状を変更したり、パンチングメタル２４の色を変更したりすることにより、ユーザの好みの外観にすることができる。
【０１２１】
また、パンチングメタル２４の開口率は、例えば、７０％以上に設定するのが好ましく、８０％以上に設定するのがより好ましい。
【０１２２】
また、パンチングメタル２４の軸方向の両端近傍における開口は、第１，第２押さえリング９１Ａ，９１Ｂで覆われるので、美観の低下を抑制することができる。
【０１２３】
上記第１実施形態では、水平面に対して略垂直な壁にサーキュレータ１を取り付けていたが、水平面に対して傾斜する壁にサーキュレータ１を取り付けたり、天井にサーキュレータ１を取り付けたりしてもよい。
【０１２４】
上記第１実施形態では、パンチングメタル２４は、ケーシング２１の外周面の全部を覆っていたが、ケーシング２１の外周面の一部だけを覆うようにしてもよい。
【０１２５】
上記第１実施形態では、据付台３５は、第１，第２台部材３６，３７で構成されていたが、１つの部材で構成されるようにしたり、３つ以上の部材で構成されるようにしたりしてもよい。
【０１２６】
上記第１実施形態では、据付台３５は、ケーシング２１の他端面にネジで固定されていたが、ケーシング２１の一端面にネジで固定することも可能である。但し、ケーシング２１の一端面側の部分よりもケーシング２１の他端面側の部分の方が重くなっているので、安定性を考慮すると、ケーシング２１の他端面に据付台３５をネジで固定するのが好ましい。
【０１２７】
上記第１実施形態では、第１壁固定具３３Ａに、第１大カバー３４Ａをネジで固定していたが、図２０に示すスピーカ内蔵カバー１５０をネジで固定してもよい。このスピーカ内蔵カバー１５０は、Ｂｌｕｅｔｏｏｔｈ（登録商標）の通信規格などを利用をして、他の機器から音声データを無線で受信し、その音声データに対応する音を出力する。
【０１２８】
また、スピーカ内蔵カバー１５０は、ケーシング２１の一端面側とケーシング２１の他端面側とのうちの一方側のみに配置してもよいし、ケーシング２１の一端面側とケーシング２１の他端面側との両側に配置してもよい。
【０１２９】
上記第１実施形態では、第１壁固定具３３Ａに、第１カバー３４Ａをネジで固定していたが、図２１に示すアロマカバー１６０をネジで固定してもよい。このアロマカバー１６０には貫通孔（図示せず）が設けられており、アロマカバー１６０内の空間とアロマカバー１６０外の空間とが上記貫通孔を介して連痛する。ユーザは、上記貫通孔からアロマカバー１６０内の空間にアロマオイルを注入することが可能となっている。アロマカバー１６０内の空間にアロマオイルを注入すると、上記貫通孔から香気が放出される。すなわち、上記貫通孔は香気を放出する役割も果たす。
【０１３０】
また、アロマカバー１６０は、ケーシング２１の一端面側とケーシング２１の他端面側とのうちの一方側のみに配置してもよいし、ケーシング２１の一端面側とケーシング２１の他端面側との両側に配置してもよい。
【０１３１】
〔第２実施形態〕
図２１は、この開示の第２実施形態の送風システムのブロック図である。
【０１３２】
送風システムは、室内に設置されたサーキュレータ２０１の他に、サーキュレータ２０１と通信する屋外のサーバ２０５と、このサーバ２０５と通信する移動通信携帯端末２０６とを備える。
【０１３３】
サーキュレータ２０１は、表示部７１と、ファンモータ２３と、ステッピングモータ５２と、無線通信部２５５と、例えばサーバ２０５から無線通信部２５５を介して取得した制御プログラムなどを記憶するメモリ２５６とを備える。
【０１３４】
また、サーキュレータ２０１は、上記第１実施形態のサーキュレータ２０１と同様に、クロスフローファン２２（図１に示す）なども有している。
【０１３５】
無線通信部２５５は、無線ＬＡＮルータ２０４に無線で通信接続され、無線アクセスポイントを介してサーバ２０５と通信する。より詳しくは、無線通信部２５５は、例えばＷｉ-Ｆｉ（ワイファイ：ブランド名）の通信規格を用い、無線ＬＡＮルータ２０４を介して、サーバ２０５に情報を送信したり、サーバ２０５から情報を受信したりする。また、サーバ２０５と無線ＬＡＮルータ２０４との間の通信は、例えば、電気通信網または光通通信網を介して行われる。なお、無線ＬＡＮルータ２０４は、外部装置の一例である。
【０１３６】
無線ＬＡＮルータ２０４は、ＷＰＳ（ワイファイ・プロテクテッド・セットアップ）機能に対応可能なＷｉ-Ｆｉルータである。
【０１３７】
メモリ２５６は、例えば、記憶した情報を書き換えることが可能であり、サーキュレータ２０１の電源を切っても、記憶した情報が消えない不揮発性半導体メモリ２５６である。また、メモリ２５６には、ＷＰＳ機能を実現するためのプログラムなどの各種プログラムを予め記憶させている。
【０１３８】
また、サーキュレータ２０１は制御装置２６１を備える。この制御装置２６１は、無線通信部２５５、マイクロコンピュータなどを有し、表示部７１、ファンモータ２３、ステッピングモータ５２などを制御する。また、制御装置２６１は、無線通信部２５５との間で情報を送受信する。
【０１３９】
制御装置２６１はモータ制御部２６１ａを有する。このモータ制御部２６１ａは、無線通信部２５５で受信した情報に基づいて、ファンモータ２３およびステッピングモータ５２を制御する。
【０１４０】
サーバ２０５は、サーキュレータ２０１からの情報を受信して保存したり、移動通信携帯端末２０６からの情報を受信して保存したりする。例えば、サーキュレータ２０１による送風が行われている否かを示す送風情報が、サーキュレータ２０１からの情報としてサーバ２０５に保存されている場合、移動通信携帯端末２０６は、サーバ２０５に通信接続することにより、サーバ２０５から送風情報を取得して、この送風情報をユーザに伝えることができるようになっている。一方、例えば、送風の開始または停止に関する設定情報が、移動通信携帯端末２０６からの情報としてサーバ２０５に保存されている場合、サーキュレータ２０１は、サーバ２０５に通信接続して、サーバ２０５から上記設定情報を取得して、この設定情報にしたがって、送風を行ったり、止めたりすることができるようになっている。
【０１４１】
移動通信携帯端末２０６は、スマートフォン（多機能携帯電話）であり、サーバ２０５との間で無線通信を行って、サーバ２０５に情報を送信したり、サーバ２０５から情報を受信したりする。このとき、移動通信携帯端末２０６は携帯通信網を介してサーバ２０５に通信接続される。
【０１４２】
上記構成の送風システムでは、ユーザは、移動通信携帯端末２０６を使って、サーキュレータ２０１による送風が行われている否かを示す送風情報をサーバ２０５から取得できるので、外出していても、サーキュレータ２０１のオンオフを確認することができる。
【０１４３】
また、ユーザは、移動通信携帯端末２０６を使って、送風の開始に関する設定情報をサーバ２０５に保存することにより、その設定情報に応じてサーキュレータ２０１の送風が行われるので、外出していても、サーキュレータ２０１をオンさせることができる。
【０１４４】
また、移動通信携帯端末２０６は、サーバ２０５を介さずに、無線ＬＡＮルータ２０４に無線で通信接続することができる。したがって、ユーザは、移動通信携帯端末２０６とサーバ２０５との間で送受信した情報の量を気にせずに、サーキュレータ２０１のオンオフを確認したり、サーキュレータ２０１をオンオフさせたりすることができる。
【０１４５】
このように、サーキュレータ２０１が無線通信部２５５を備えることにより、サーキュレータ２０１の利便性を向上させることができる。
【０１４６】
また、移動通信携帯端末２０６をサーキュレータ２０１のリモコンとして使えるので、サーキュレータ２０１にリモコンを付属して販売しなくて済む。
【０１４７】
上記第２実施形態では、モータ制御部２６１ａは、ファンモータ２３およびステッピングモータ５２を制御していが、ファンモータ２３だけを制御するようにしてもよい。
【０１４８】
上記第２実施形態では、移動通信携帯端末２０６は、スマートフォンであったが、例えば、通信機能を有するタブレット端末またはノートパソコンであってもよい。
【０１４９】
上記第２実施形態では、サーキュレータ２０１は、移動通信携帯端末２０６を操作することで、オンオフできるようになっていたが、移動通信携帯端末２０６以外の装置（例えばデスクトップパソコン）を操作することで、オンオフしてもよい。この場合、上記装置は、無線ＬＡＮルータ２０４と無線で通信接続されるものであってもよいし、無線ＬＡＮルータ２０４と有線で通信接続されるものであってもよい。
【０１５０】
上記第２実施形態では、移動通信携帯端末２０６とサーキュレータ２０１との間の情報の送受信は、少なくとも無線ＬＡＮルータ２０４が介在していたが、無線ＬＡＮルータ２０４が介在しないようにしてもよい。このようにする場合、例えば、移動通信携帯端末２０６が、Ｂｌｕｅｔｏｏｔｈ（登録商標）の通信規格などを利用をして、サーキュレータ２０１と直接情報を送受信するようにしてもよい。この場合、移動通信携帯端末２０６は、外部装置の一例となる。
【０１５１】
上記第２実施形態では、モータ制御部２６１ａは、ソフトウェアによって構成されてもよいし、ハードウェアで構成されてもよい。
【０１５２】
〔第３実施形態〕
図２２は、この開示の第３実施形態の室内環境調整システムが備える室内機３１１を前側から見たときの概略斜視図である。なお、図２２では、室内の壁に取り付けられた室内機３１１が示されている。
【０１５３】
上記室内環境調整システムは、室内機３１１の他に、サーキュレータ３０１（図２３に示す）を備える。
【０１５４】
室内機３１１は、空気調和機の一部を構成するもので、室外機（図示せず）と冷媒配管などを介して接続される。この室内機３１１のケーシング３１２では、吸込口３１２ａが上部に設けられ、かつ、吹出口３１２ｂが下部に設けられている。この吹出口３１２ｂには風向羽根３１３が回動可能に取り付けられている。空調運転が行われていないとき、風向羽根３１３は吹出口３１２ｂを閉鎖する姿勢を取る。その後、空調運転が開始されると、図示しないが、風向羽根３１３は、回動して、吹出口３１２ｂを開放する姿勢を取る。
【０１５５】
また、図示しないが、ケーシング３１２内には、熱交換器、クロスフローファン２２などが配置されている。吸込口からケーシング３１２内に吸い込まれた室内空気は、熱交換器と熱交換した後、クロスフローファン２２を経由して、吹出口から室内に吹き出される。
【０１５６】
図２４は、上記室内環境調整システムのブロック図である。
【０１５７】
室内機３１１は、マイクロコンピュータなどからなる制御装置３１３と、サーキュレータ３０１の無線通信部３５５と無線で通信接続される無線通信部３１４とを有する。ここで、無線通信部３１４は、Ｂｌｕｅｔｏｏｔｈ（登録商標）などの通信規格を用いて、サーキュレータ３０１の無線通信部３５５と直接通信する。
【０１５８】
制御装置３１３は、ソフトウェアによって構成された運転状況報知部３１３ａを有する。この運転状況報知部３１３ａは、室内機３１１の運転状況をサーキュレータ３０１に報知するためのものである。より詳しく説明すると、室内機３１１の運転が開始すると、運転状況報知部３１３ａは、室内機３１１の運転が開始したことを示す報知信号をサーキュレータ３０１の無線通信部３５５に送る。また、室内機３１１の運転が停止すると、運転状況報知部３１３ａは、室内機３１１の運転が停止したことを示す報知信号をサーキュレータ３０１の無線通信部３５５に送る。なお、室内機３１１の運転とは、冷房運転、暖房運転、除湿運転などを意味する。
【０１５９】
サーキュレータ３０１は、室内機３１１が設置されている室内に設置されており、表示部７１と、ファンモータ２３と、ステッピングモータ５２と、無線通信部３５５と、マイクロコンピュータなどからなる制御装置２６１とを有する。
【０１６０】
また、サーキュレータ３０１は、上記第１実施形態のサーキュレータ３０１と同様に、クロスフローファン２２（図１に示す）なども有している。
【０１６１】
制御装置２６１は、室内機３１１の制御装置２６１と同様に、マイクロコンピュータなどからなり、検出部３６１ａおよび運転制御部３６１ｂを有する。
【０１６２】
検出部３６１ａは、室内機３１１の運転状態を検出する。より詳しく説明すると、室内機３１１の無線通信部３１４からサーキュレータ３０１の無線通信部３５５に報知信号が送られたとき、この報知信号がサーキュレータ３０１の制御装置２６１に入力される。検出部３６１ａは、上記報知信号に基づいて、室内機３１１の運転状況を検出する。
【０１６３】
運転制御部３６１ｂは、検出部３６１ａによって検出された室内機３１１の運転状態に基づいて、サーキュレータ３０１の運転を制御する。より詳しく説明すると、室内機３１１の運転が開始したことを示す報知信号がサーキュレータ３０１の制御装置３６１に入力されたとき、制御装置３６１は、ファンモータ２３を制御して、所定回転数でクロスフローファン２２を回転させる。一方、室内機３１１の運転が停止したことを示す報知信号がサーキュレータ３０１の制御装置３６１に入力されたとき、制御装置３６１は、ファンモータ２３を制御して、クロスフローファン２２を停止させる。
【０１６４】
上記構成の室内環境調整システムでは、室内機３１１が、ユーザの操作に応じて、運転を開始すると、室内機３１１の運転が開始したことが検出部３６１ａによって検出される。その結果、運転制御部３６１ｂの制御により、クロスフローファン２２が回転するので、室内機３１１による室内の空調を自動的に補助することができる。
【０１６５】
また、室内機３１１が、ユーザの操作に応じて、運転を停止すると、室内機３１１の運転が停止したことが検出部３６１ａによって検出される。その結果、運転制御部３６１ｂの制御により、クロスフローファン２２が停止するので、ユーザはサーキュレータ３０１の停止操作を行わずに済む。
【０１６６】
このように、運転制御部３６１ｂの制御により、室内機３１１の運転の停止に応じて、サーキュレータ３０１の運転が連動するので、サーキュレータ３０１の運転に関してユーザの負担を軽減することができる。
【０１６７】
上記第３実施形態では、空気調和機の室内機３１１は、シングルエアコンの室内機３１１であってもよいし、マルチエアコンの室内機３１１であってもよい。
【０１６８】
上記第３実施形態では、サーキュレータ３０１は、空気調和機の室内機３１１と連動していたが、空気清浄機、エコキュート、床暖房、セラムヒートなどと連動するようにしてもよい。
【０１６９】
上記第３実施形態では、室内機３１１の無線通信部３１４は、サーキュレータ３０１の無線通信部３５５と直接的に通信していたが、上記第２実施形態のように、例えば無線ＬＡＮルータ２０４を介して、サーキュレータ３０１の無線通信部３５５と間接的に通信をしてもよい。
【０１７０】
上記第３実施形態では、室内機３１１の運転の開始に連動して、室内機３１１の運転が開始した後、サーキュレータ３０１の風量は、停止するまで略一定となるようにしていたが、適宜変更されるようにしてもよい。このようにする場合、例えば、室内の温度ムラを低減する観点上、室内機３１１の風量の減少に応じて、サーキュレータ３０１の風量を増加させる一方、室内機３１１の風量の増加に応じて、サーキュレータ３０１の風量を低下させる。あるいは、ユーザがサーキュレータ３０１の運転音をうるさいと感じ難いようにする観点上、室内機３１１の風量の減少に応じて、サーキュレータ３０１の風量を減少させる一方、室内機３１１の風量の増加に応じて、サーキュレータ３０１の風量を増加させる。
【０１７１】
上記第３実施形態では、サーキュレータ３０１に換えて、図２５に示すように、センサユニット３７２を備えたサーキュレータ３０１’を用いてもよい。このようにする場合、例えば、風量変更部３６１ｃを有する制御装置３６１’を用いる。なお、センサユニット３７２は、室内環境検出部の一例である。
【０１７２】
センサユニット３７２は、室内の温度を検出する温度センサ３７３と、室内の湿度を検出する湿度センサ３７４と有している。このセンサユニット３７２は、室内の温度を示す信号と、室内の湿度を示す信号とを、制御装置３６１’に出力する。このとき、風量変更部３６１ｃは、それらの信号に基づいて、サーキュレータ３０１’の風量を変更する。より詳しく説明すると、冷房運転時および暖房運転時、室内の温度が所定温度より高かったり、室内の湿度が所定湿度より高かったりすると、風量変更部３６１ｃが、ファンモータ２３の回転数を上げる。逆に、冷房運転時および暖房運転時、室内の温度が所定温度より低かったり、室内の湿度が所定湿度より低かったりすると、風量変更部３６１ｃが、ファンモータ２３の回転数を下げる。
【０１７３】
エアカーテンを作るためにサーキュレータを使用しないのであれば、他の風量変更部を用いてもよい。この他の風量変更部は、温度センサ３７３が検出した室内の温度と、室内機３１１の温度センサ３７３が検出した室内の温度との差が、所定値より大きいとき、ファンモータ２３の回転数を上げる一方、その差が所定値より小さいとき、ファンモータ２３の回転数を下げる。このようにする場合、上記差が所定値より大きいとき、所定時間経過しても、上記差の変化量が所定量よりも小さいとき、吹出口から吹き出させる風の向きを変更したり、ファンモータ２３の回転数を下げたりしてもよい。
【０１７４】
センサユニット３７２が、温度センサ３７３および湿度センサ３７４を有していたが、温度センサ３７３または湿度センサ３７４だけを有するだけにしてもよいし、他のセンサ（例えば、埃センサ、花粉センサなど）を有するようにしてもよい。
【０１７５】
例えば、赤外線センサ、ドップラーセンサなどの人感知センサを有するセンサユニットを用いる場合、エアカーテンを作るためにサーキュレータを使用してなければ、吹出口から吹き出させる風が人に向かうように、風向羽根を制御してもよい。
【０１７６】
また、室内の温度ムラが発生している場所を検出可能なセンサユニットを用いる場合、エアカーテンを作るためにサーキュレータを使用してなければ、サーキュレータの吹出口から吹き出させる風が上記場所に送られるように、その吹出口に配置された風向羽根を制御してもよい。
【０１７７】
また、サーキュレータと床との距離を検出する距離センサを有するセンサユニットを用いる場合、距離センサが検出した距離に応じて、ファンモータの回転数が設定されるようにしてもよい。
【０１７８】
また、室内機３１１が検出した室内の温度の時間変化と、サーキュレータ３０１の風量との関係が学習されるようにしてもよい。このようにする場合、例えば、暖房運転時、サーキュレータの風量が中風量または大風量であると、室内機３１１が検出した室内の温度が上昇する一方、サーキュレータの風量が小風量であると、室内機３１１が検出した室内の温度が一定または低下していくとき、サーキュレータの風量は中風量または大風量となるようにして、室内の温度が維持されるようにする。
【０１７９】
また、温度調整が不要な空間（例えば、階段がある空間）にサーキュレータが設置される場合、サーキュレータの風量は小風量で固定されるようにしてもよい。
【０１８０】
〔第４実施形態〕
図２５は、この開示の第４実施形態のサーキュレータ４０１を後側からみたときの概略斜視図である。ここで、サーキュレータ４０１は壁に取り付けられる。なお、上記後側は壁側を意味する。また、他の部材と区別し易くするため、照明装置４７５にはハッチングを付している。
【０１８１】
サーキュレータ４０１は、サーキュレータ本体２と壁との間に配置される照明装置４７５を備える点が、上記第１実施形態のサーキュレータ４０１と異なる。
【０１８２】
照明装置４７５は、化粧カバー３１の上面に取り付けられ、化粧カバー３１の延在方向と同じ方向に延在する。この照明装置４７５は、例えば、複数のＬＥＤ（発光ダイオード）を有して、ライン状の光を天井に向けて出出射する。
【０１８３】
上記構成のサーキュレータ４０１は、サーキュレータ本体２と壁との間に照明装置４７５が配置されているので、室内を照らすことできる。
【０１８４】
また、照明装置４７５が室内の天井に向けて光を照射するので、天井からの間接光で室内を照らすことができる。
【０１８５】
上記第４実施形態では、サーキュレータ４０１は、室内の壁に取り付けらえていたが、室内の天井に取り付けられてもよい。
【０１８６】
上記第４実施形態では、サーキュレータ本体２と壁との間に、ライン状に発光する発光装置を設置していたが、スポット状に発光する発光装置を単数または複数設置してもよい。
【０１８７】
本開示の具体的な実施の形態について説明したが、本開示は上記第１〜第４実施形態おおよびその変形例に限定されるものではなく、本開示の範囲内で種々変更して実施することができる。例えば、上記第１〜第４実施形態で記載した内容の一部を削除または置換したものを、本開示の一実施形態としてもよい。また、第１実施形態のサーキュレータ１および変形例を第２〜第４実施形態で適用してもよい。
【符号の説明】
【０１８８】
１，２０１，３０１，３０１’，４０１  サーキュレータ
２  サーキュレータ本体
３  付属品群３
１１，３１１  室内機
２１  ケーシング
２１ａ  吸込口
２１ｂ  吹出口
２２  クロスフローファン
２３  ファンモータ
２４  パンチングメタル
３１  化粧カバー
３２  据付板
３３Ａ  第１壁固定具
３３Ｂ  第２壁固定具
３４Ａ  第１大カバー
３４Ｂ  第２大カバー
４０Ａ  第１小カバー
４０Ｂ  第２小カバー
４１  底フレーム
４２  グリル
５２  ステッピングモータ
６１，２６１，３１３，３６１  制御装置
９６  補強板
１５０  スピーカ内蔵カバー
１６０  アロマカバー
２０４  無線ＬＡＮルータ
２０５  サーバ
２０６  移動通信携帯端末
２５５，３１４，３５５  無線通信部
３１３ａ  運転状況報知部
３６１ａ  検出部
３６１ｂ  運転制御部
３７２  センサユニット
３７３  温度センサ
３７４  湿度センサ
【図１】
2019143848.tif 000003
【図２】
2019143848.tif 000004
【図３】
2019143848.tif 000005
【図４】
2019143848.tif 000006
【図５】
2019143848.tif 000007
【図６】
2019143848.tif 000008
【図７】
2019143848.tif 000009
【図８】
2019143848.tif 000010
【図９】
2019143848.tif 000011
【図１０】
2019143848.tif 000012
【図１１】
2019143848.tif 000013
【図１２】
2019143848.tif 000014
【図１３】
2019143848.tif 000015
【図１４】
2019143848.tif 000016
【図１５】
2019143848.tif 000017
【図１６】
2019143848.tif 000018
【図１７】
2019143848.tif 000019
【図１８】
2019143848.tif 000020
【図１９】
2019143848.tif 000021
【図２０】
2019143848.tif 000022
【図２１】
2019143848.tif 000023
【図２２】
2019143848.tif 000024
【図２３】
2019143848.tif 000025
【図２４】
2019143848.tif 000026
【図２５】
2019143848.tif 000027
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
吸込口（２１ａ）と、この吸込口（２１ａ）と周方向で隣り合う吹出口（２１ｂ）とを有して柱状に延在するケーシング（２１）と、
上記ケーシング（２１）内に配置され、上記ケーシング（２１）の延在方向と略平行な回転軸を有するクロスフローファン（２２）と、
上記クロスフローファン（２２）を駆動するモータ（２３）と
を備え、
上記ケーシング（２１）は、室内の床上に設置したり、上記室内の壁または天井に取り付けたりすることが可能になっていることを特徴とするサーキュレータ（１，２０１，３０１，３０１’，４０１）。
【請求項２】
請求項１に記載のサーキュレータ（１，２０１，３０１，３０１’，４０１）において、
上記吹出口（２１ｂ）を任意の方向に向けた状態で上記ケーシング（２１）を上記壁または天井に取り付けることが可能になっていることを特徴とするサーキュレータ（１，２０１，３０１，３０１’，４０１）。
【請求項３】
請求項１または２に記載のサーキュレータ（１，２０１，３０１，３０１’，４０１）において、
上記室内の壁または天井に上記ケーシング（２１）を固定具（３３Ａ，３３Ｂ）で取り付けることにより、上記吹出口（２１ｂ）が向く方向を少なくとも２つの方向から選択することが可能になっていることを特徴とするサーキュレータ（１，２０１，３０１，３０１’，４０１）。
【請求項４】
請求項３に記載のサーキュレータ（１，２０１，３０１，３０１’，４０１）において、
上記固定具（３３Ａ，３３Ｂ）は、上記ケーシング（２１）の軸方向の一端面に取り付けられる第１固定具（３３Ａ）と、上記ケーシング（２１）の軸方向の他端面に取り付けられる第２固定具（３３Ｂ）とを有することを特徴とするサーキュレータ（１，２０１，３０１，３０１’，４０１）。
【請求項５】
請求項１から４のいずれか一項に記載のサーキュレータ（１，２０１，３０１，３０１’，４０１）において、
上記壁側を後側とし、上記壁とは反対側を前側としたとき、上記吸込口（２１ａ）が下側を向き、かつ、上記吹出口（２１ｂ）が前側の斜め上方を向くように、上記ケーシング（２１）が上記壁に取り付けられることを特徴とするサーキュレータ（１，２０１，３０１，３０１’，４０１）。
【請求項６】
請求項１から４のいずれか一項に記載のサーキュレータ（１，２０１，３０１，３０１’，４０１）において、
上記壁側を後側とし、上記壁とは反対側を前側としたとき、上記吸込口（２１ａ）が上側を向き、かつ、上記吹出口（２１ｂ）が前側の斜め下方を向くように、上記ケーシング（２１）が上記壁に取り付けられることを特徴とするサーキュレータ（１，２０１，３０１，３０１’，４０１）。
【請求項７】
請求項１から４のいずれか一項に記載のサーキュレータ（１，２０１，３０１，３０１’，４０１）において、
上記壁側を後側とし、上記壁とは反対側を前側としたとき、上記吸込口（２１ａ）が前側を向き、かつ、上記吹出口（２１ｂ）が後側の斜め下方を向くように、上記ケーシング（２１）が上記壁に取り付けられることを特徴とするサーキュレータ（１，２０１，３０１，３０１’，４０１）。
【請求項８】
請求項１から７までのいずれか一項に記載のサーキュレータ（１，２０１，３０１，３０１’，４０１）において、
上記ケーシング（２１）の延在方向の端部に着脱可能に取り付けられ、上記ケーシング（２１）を支持する支持台（３５）を備えることを特徴とするサーキュレータ（１，２０１，３０１，３０１’，４０１）。
【請求項９】
請求項１から８までのいずれか一項に記載のサーキュレータ（１，２０１，３０１，３０１’，４０１）において、
上記ケーシング（２１）の外周面を覆う筒形状のパンチングメタル（２４）を備えることを特徴とするサーキュレータ（１，２０１，３０１，３０１’，４０１）。
【請求項１０】
請求項９に記載のサーキュレータ（１，２０１，３０１，３０１’，４０１）において、
上記吹出口（２１ｂ）に配置され、上記吹出口（２１ｂ）から吹き出される空気の風向を制御する風向羽根（５１）を備え、
上記風向羽根（５１）は上記パンチングメタル（２４）で覆われていることを特徴とするサーキュレータ（１，２０１，３０１，３０１’，４０１）。
【請求項１１】
クロスフローファン（２２）と、
上記クロスフローファン（２２）を駆動するモータ（２３）と、
外部装置（２０４，２０６）と無線通信を行う無線通信部（２５５）と、
上記無線通信部（２５５）が上記外部装置（２０４，２０６）と行った無線通信の内容に基づいて、上記モータ（２３）の駆動を制御するモータ制御部（２６１ａ）と
を備えることを特徴とするサーキュレータ（２０１）。
【請求項１２】
室内の空調を行う室内機（３１１）と、
上記室内に設置されたサーキュレータ（３０１，３０１’）と、
上記室内機（３１１）の運転状態を検出する検出部（３６１ａ）と、
上記検出部（３６１ａ）によって検出された上記室内機（３１１）の運転状態に基づいて、上記サーキュレータ（３０１，３０１’）の運転を制御する運転制御部（３６１ｂ）と
を備え、
上記運転制御部（３６１ｂ）の制御により、上記サーキュレータ（３０１，３０１’）の運転は上記室内機（３１１）の運転と連動することを特徴とする室内環境調整システム。
【請求項１３】
請求項１２に記載の室内環境調整システムにおいて、
上記運転制御部（３６１ｂ）の制御により、上記室内機（３１１）の運転の開始に応じて、上記サーキュレータ（３０１，３０１’）の運転が開始することを特徴とする室内環境調整システム。
【請求項１４】
請求項１２または１３に記載の室内環境調整システムにおいて、
上記運転制御部（３６１ｂ）の制御により、上記室内機（３１１）の運転の停止に応じて、上記サーキュレータ（３０１，３０１’）の運転が停止することを特徴とする室内環境調整システム。
【請求項１５】
請求項１２から１４までのいずれか一項に記載の室内環境調整システムにおいて、
上記サーキュレータ（３０１’）は、
温度センサ（３７３）と湿度センサ（３７４）との少なくとも一方を有して、上記室内の温度と上記室内の湿度との少なくとも一方を検出する室内環境検出部（３７２）と、
上記室内環境検出部（３７２）の検出結果に基づいて、上記サーキュレータ（３０１’）の風量を制御する風量制御部（３６１ｃ）と
を有することを特徴とする室内環境調整システム。
【請求項１６】
室内の壁または天井に取り付けられるケーシング（２１）と、
上記ケーシング（２１）内に配置されたファン（２２）と、
上記ケーシング（２１）と上記壁または天井との間に配置された照明装置（４７５）と
を備えたことを特徴とするサーキュレータ（４０１）。
【請求項１７】
請求項１６に記載のサーキュレータ（４０１）において、
上記照明装置（４７５）は上記室内の天井に向けて光を照射することを特徴とするサーキュレータ（４０１）。
【手続補正２】
【補正対象書類名】明細書
【補正対象項目名】全文
【補正方法】変更
【補正の内容】
【発明の詳細な説明】
【技術分野】
【０００１】
この開示は、サーキュレータおよび室内環境調整システムに関する。
【背景技術】
【０００２】
従来、サーキュレータとしては特開平３−２６７５９７号公報（特許文献１）に開示されているように、室内の床上に設置されて、室内へ送風を行うものがある。
【先行技術文献】
【特許文献】
【０００３】
【特許文献１】特開平３−２６７５９７号公報
【発明の概要】
【発明が解決しようとする課題】
【０００４】
上記従来のサーキュレータは、室内の床上に設置した状態で使用する態様しかとれないので、利便性が低いという問題を有する。
【０００５】
この開示の課題は、利便性を向上できるサーキュレータを提供することにある。
【課題を解決するための手段】
【０００６】
この開示の一態様に係るサーキュレータは、
吸込口と、この吸込口と周方向で隣り合う吹出口とを有して柱状に延在するケーシングと、
上記ケーシング内に配置され、上記ケーシングの延在方向と略平行な回転軸を有するクロスフローファンと、
上記クロスフローファンを駆動するモータと
を備え、
上記ケーシングは、室内の床上に設置したり、上記室内の壁または天井に取り付けたりすることが可能になっている。
【０００７】
上記構成によれば、上記ケーシングは、室内の床上に設置したり、室内の壁または天井に取り付けたりすることが可能になっているので、利便性を向上することができる。
【０００８】
一実施形態のサーキュレータでは、
上記吹出口を任意の方向に向けた状態で上記ケーシングを上記壁または天井に取り付けることが可能になっている。
【０００９】
上記実施形態によれば、上記吹出口を任意の方向に向けた状態でケーシングを室内の壁または天井に取り付けることが可能になっているので、利便性をさらに向上させることができる。
一実施形態のサーキュレータでは、
上記室内の壁または天井に上記ケーシングを固定具で取り付けることにより、上記吹出口が向く方向を少なくとも２つの方向から選択することが可能になっている。
一実施形態のサーキュレータでは、
上記固定具は、上記ケーシングの軸方向の一端面に取り付けられる第１固定具と、上記ケーシングの軸方向の他端面に取り付けられる第２固定具とを有する。
【００１０】
一実施形態のサーキュレータでは、
上記壁側を後側とし、上記壁とは反対側を前側としたとき、上記吸込口が下側を向き、かつ、上記吹出口が前側の斜め上方を向くように、上記ケーシングが上記壁に取り付けられる。
【００１１】
上記実施形態によれば、上記吸込口が下側を向き、かつ、吹出口が前側の斜め上方を向くように、ケーシングを壁に取り付けることにより、室内の鉛直方向の温度むらを低減することができる。
【００１２】
一実施形態のサーキュレータでは、
上記壁側を後側とし、上記壁とは反対側を前側としたとき、上記吸込口が上側を向き、かつ、上記吹出口が前側の斜め下方を向くように、上記ケーシングが上記壁に取り付けられる。
【００１３】
上記実施形態によれば、上記吸込口が上側を向き、かつ、吹出口が前側の斜め下方を向くように、ケーシングを壁に取り付けることにより、室内の水平方向の温度むらを低減することができる。
【００１４】
一実施形態のサーキュレータでは、
上記壁側を後側とし、上記壁とは反対側を前側としたとき、上記吸込口が前側を向き、かつ、上記吹出口が後側の斜め下方を向くように、上記ケーシングが上記壁に取り付けられる。
【００１５】
上記実施形態によれば、上記吸込口が前側を向き、かつ、吹出口が後側の斜め下方を向くように、ケーシングを壁に取り付けることにより、エアカーテンを発生させることができる。
【００１６】
一実施形態のサーキュレータは、
上記ケーシングの延在方向の端部に着脱可能に取り付けられ、上記ケーシングを支持する支持台を備える。
【００１７】
上記実施形態によれば、上記ケーシングを支持する支持台は、ケーシングの延在方向の端部に着脱可能に取り付けられるので、使用態様が減少しない。
【００１８】
一実施形態のサーキュレータは、
上記ケーシングの外周面を覆う筒形状のパンチングメタルを備える。
【００１９】
上記実施形態によれば、上記筒形状のパンチングメタルがケーシングの外周面を覆うので、美観を向上させることができる。
【００２０】
一実施形態のサーキュレータは、
上記吹出口に配置され、上記吹出口から吹き出される空気の風向を制御する風向羽根を備え、
上記風向羽根は上記パンチングメタルで覆われている。
【００２１】
上記実施形態によれば、上記パンチングメタルが風向羽根を覆うので、美観の低下を抑制することができる。
【００２２】
また、上記特許文献１のサーキュレータは、ケーシング内に配置されたファンと、このファンを駆動するモータと備える。このモータがファンを駆動することによって、室内への送風が行われる。
【００２３】
ところで、上記特許文献１には、サーキュレータが外部装置との無線通信を行うことについて記載がない。
【００２４】
したがって、上記特許文献１のサーキュレータは、利便性が低いという問題がある。
【００２５】
この開示の一態様のサーキュレータは、
クロスフローファンと、
上記クロスフローファンを駆動するモータと、
外部装置と無線通信を行う無線通信部と、
上記無線通信部が上記外部装置と行った無線通信の内容に基づいて、上記モータの駆動を制御するモータ制御部と
を備える。
【００２６】
上記構成によれば、上記無線通信部は外部装置と無線通信を行うので、利便性を向上させることができる。
【００２７】
また、上記特許文献１には、サーキュレータの運転が例えば空気調和機の室内機の運転と連動することについて記載がない。
【００２８】
したがって、上記特許文献１のサーキュレータには、操作に関してユーザの負担を軽減できないという問題ある。
【００２９】
この開示の一態様の室内環境調整システムは、
室内の空調を行う室内機と、
上記室内に設置されたサーキュレータと、
上記室内機の運転状態を検出する検出部と、
上記検出部によって検出された上記室内機の運転状態に基づいて、上記サーキュレータの運転を制御する運転制御部と
を備え、
上記運転制御部の制御により、上記サーキュレータの運転は上記室内機の運転と連動する。
【００３０】
上記構成によれば、上記運転制御部の制御により、上記サーキュレータの運転は室内機の運転と連動するので、サーキュレータの操作に関してユーザの負担を軽減することができる。
【００３１】
一実施形態の室内環境調整システムは、
上記運転制御部の制御により、上記室内機の運転の開始に応じて、上記サーキュレータの運転が開始する。
【００３２】
上記実施形態によれば、上記運転制御部の制御により、室内機の運転の開始に応じて、サーキュレータの運転が開始するので、室内機による室内の空調を自動的に補助することができる。
【００３３】
一実施形態の室内環境調整システムでは、
上記運転制御部の制御により、上記室内機の運転の停止に応じて、上記サーキュレータの運転が停止する。
【００３４】
上記実施形態によれば、上記運転制御部の制御により、室内機の運転の停止に応じて、サーキュレータの運転が停止するので、ユーザはサーキュレータの停止操作を行わずに済む。
【００３５】
この一実施形態の室内環境調整システムでは、
上記サーキュレータは、
温度センサと湿度センサとの少なくとも一方を有して、上記室内の温度と上記室内の湿度との少なくとも一方を検出する室内環境検出部と、
上記室内環境検出部の検出結果に基づいて、上記サーキュレータの風量を制御する風量制御部と
を有する。
【００３６】
上記実施形態によれば、上記風量制御部が、室内環境検出部の検出結果に基づいて、サーキュレータの風量を制御するので、室内の空調をきめ細やかにすることができる。
【００３７】
上記特許文献１には、室内を照らす照明装置をサーキュレータに搭載することについて記載がない。
【００３８】
したがって、上記特許文献１のサーキュレータは、室内を照らすことができないという問題がある。
【００３９】
この開示の一態様のサーキュレータは、
室内の壁または天井に取り付けられるケーシングと、
上記ケーシング内に配置されたファンと、
上記ケーシングと上記壁または天井との間に配置された照明装置と
を備える。
【００４０】
上記構成によれば、上記ケーシングと壁または天井との間に照明装置が配置されているので、室内を照らすことできる。
【００４１】
一実施形態のサーキュレータでは、
上記照明装置は上記室内の天井に向けて光を照射する。
【００４２】
上記実施形態によれば、上記照明装置が室内の天井に向けて光を照射するので、天井からの間接光で室内を照らすことができる。
【図面の簡単な説明】
【００４３】
【図１】この開示の第１実施形態のサーキュレータの分解斜視図である。
【図２】上記サーキュレータの概略斜視図である。
【図３】上記サーキュレータの他の概略斜視図である。
【図４】上記サーキュレータの一部の概略断面図である。
【図５】上記サーキュレータの他の概略断面図である。
【図６】上記第１実施形態のケーシングの取り付け方法を説明するための概略斜視図である。
【図７】上記第１実施形態のケーシングの取り付け方法を説明するための概略側面図である。
【図８】上記第１実施形態のケーシングの取り付け状態を示すための概略斜視図である。
【図９】図８のケーシング周辺の風の流れを説明するための模式図である。
【図１０】冷房運転時の室内空気の流れを説明するための模式図である。
【図１１】暖房運転時の室内空気の流れを説明するための模式図である。
【図１２】上記第１実施形態のケーシングの他の取り付け状態を示すための概略斜視図である。
【図１３】図１２のケーシング周辺の風の流れを説明するための模式図である。
【図１４】室内の模式平面図である。
【図１５】上記第１実施形態のケーシングの他の取り付け状態を示すための概略斜視図である。
【図１６】図１５のケーシング周辺の風の流れを説明するための模式図である。
【図１７】室内の出入口周辺の模式斜視図である。
【図１８】床上に設置されサーキュレータの概略斜視図である。
【図１９】スピーカ内蔵カバーの概略斜視図である。
【図２０】アロマカバーの概略斜視図である。
【図２１】この開示の第２実施形態の送風システムのブロック図である。
【図２２】この開示の第３実施形態の室内機の概略斜視図である。
【図２３】この開示の第３実施形態の室内環境調整システムのブロック図である。
【図２４】上記室内環境調整システムの変形例のブロック図である。
【図２５】この開示の第４実施形態のサーキュレータ４０１の概略斜視図である。
【発明を実施するための形態】
【００４４】
以下、図面を用いて、この開示の実施形態を説明する。なお、各図において共通する部分には同一の符号を付し、重複した説明を省略する。
【００４５】
〔第１実施形態〕
図１は、この開示の第１実施形態のサーキュレータ１の分解斜視図である。
【００４６】
サーキュレータ１は、サーキュレータ本体２を備え、付属品群３の一部をサーキュレータ本体２の設置場所に応じて使用する。
【００４７】
サーキュレータ本体２は、ケーシング２１と、このケーシング２１内に配置されるクロスフローファン２２と、このクロスフローファン２２を駆動するファンモータ２３とを有する。なお、ファンモータ２３はモータの一例である。
【００４８】
ケーシング２１は、付属品群３を用いて、室内の床上に設置したり、室内の壁または天井に取り付けたりすることが可能になっている。また、ケーシング２１は、例えば複数の吸込口２１ａ,２１ａ,…,２１ａと、例えば１つの吹出口２１ｂとを有し、柱状に延在する。より詳しく説明すると、ケーシング２１は、底フレーム４１と、この底フレーム４１に例えばネジで固定されるグリル４２とで構成される。このグリル４２が複数の吸込口２１ａ,２１ａ,…,２１ａを有する。複数の吸込口２１ａ,２１ａ,…,２１ａはケーシング２１の延在方向に沿って並んでいる。また、底フレーム４１の切り欠き部４１ａとグリル４２の切り欠き部４２ａとが、吹出口２１ｂを画定する。この吹出口２１ｂは、ケーシング２１の延在方向に沿って延在し、ケーシング２１の周方向で各吸込口２１ａと隣り合う。
【００４９】
吹出口２１ｂには、吹出口２１ｂから吹き出される空気の風向を制御する風向羽根５１が配置される。この風向羽根５１は、底フレーム４１に回動可能に取り付けられ、ステッピングモータ５２で駆動される。底フレーム４１にグリル４２を例えばネジで固定したとき、ステッピングモータ５２は、底フレーム４１とグリル４２とで挟持されるので、底フレーム４１およびグリル４２にネジなどで固定されない。
【００５０】
グリル４２の各端面には、例えば２つのクリップナット８１，８１が取り付けられ、かつ、底フレーム４１の各端面には、例えば２つのクリップナット８１，８１が取り付けられる。このとき、ケーシング２１の各端面には、４つのクリップナット８１，８１，８１，８１が取り付けられた状態となる。
【００５１】
また、ケーシング２１内には、舌部５３、電装品箱５４も配置される。
【００５２】
舌部５３は、ケーシング２１の延在方向に沿って延在し、クロスフローファン２２に径方向から対向する。また、舌部５３は、軽量化のため、例えばＥＰＳ（発泡スチロール）で形成される。電装品箱５４は、ケーシング２１の延在方向において、ファンモータ２３と隣り合う。
【００５３】
電装品箱５４内には、制御装置６１などが入っている。この制御装置６１は、マイクロコンピュータなどで構成され、ファンモータ２３、ステッピングモータ５２などを制御する。
【００５４】
また、ケーシング２１の外周面には、ＬＥＤ（発光ダイオード）を有する表示部７１が取り付けられる。このＬＥＤは、クロスフローファン２２の駆動中、点灯状態となる一方、クロスフローファン２２の停止中、非点灯状態となる。
【００５５】
クロスフローファン２２は、ケーシング２１の延在方向と略平行な回転軸を有する。このクロスフローファン２２の一端面の中央部には、軸受９５で回転可能に支持される軸部（図示せず）が設けられている。また、クロスフローファン２２の他端面の中央部には、ボス部（図示せず）が形成されている。このボス部にはファンモータ２３の回転軸（図示せず）が連結される。これにより、ファンモータ２３の回転軸（図示せず）が回転すると、クロスフローファン２２がファンモータ２３の回転軸と一体に回転する。
【００５６】
また、サーキュレータ本体２は、ケーシング２１の外周面の全部を覆う筒形状のパンチングメタル２４と、第１，第２押さえリング９１Ａ，９１Ｂとを備える。
【００５７】
パンチングメタル２４の開口（図示せず）は、パンチングメタル２４の軸方向の一端とパンチングメタル２４の軸方向の他端との間の各部で全周に渡って形成されている。これにより、各吸込口２１ａおよび吹出口２１ｂが、ケーシング２１の径方向において、パンチングメタル２４の複数の開口と対向する。なお、各吸込口２１ａおよび吹出口２１ｂとパンチングメタル２４との間において、フィルタは配置されない。
【００５８】
サーキュレータ１の付属品群３は、化粧カバー３１と、据付板３２と、第１，第２壁固定具３３Ａ，３３Ｂと、第１，第２大カバー３４Ａ，３４Ｂと、支持台の一例としての据付台３５と、第１，第２小カバー４０Ａ，４０Ｂとを有する。この化粧カバー３１、第１，第２大カバー３４Ａ，３４Ｂ、据付台３５および第１，第２小カバー４０Ａ，４０Ｂの材料として、例えば樹脂が使われる。また、据付板３２および第１，第２壁固定具３３Ａ，３３Ｂの材料として、例えば金属が使われる。
【００５９】
据付台３５は、製造および輸送のし易さの観点から、第１台部材３６と第２台部材３７とを組み合せることで得られるようにしている。
【００６０】
第１大カバー３４Ａは円板形状の凹部を有する。この凹部の底部には、９０度の位相間隔で４つの貫通孔１３８Ａ，１３８Ａ，１３８Ａ，１３８Ａが形成されている。この第１大カバー３４Ａの凹部には、第１小カバー４０Ａが嵌合可能となっている。
【００６１】
第２大カバー３４Ｂも、第１大カバー３４Ａと同様に、４つの貫通孔１３８Ａ，１３８Ａ，１３８Ａ，１３８Ａを円板形状の凹部の底部に有する。この第２大カバー４０Ｂの凹部には、第２小カバー４０Ｂが嵌合可能となっている。
【００６２】
なお、図１の９６は補強板である。この補強板９６，９６，…，９６は、パンチングメタル２４と風向羽根５１との間に位置するように、ケーシング２１の吹出口２１ｂの周縁部に取り付けられる。このとき、補強板９６，９６，…，９６は、ケーシング２１の延在方向に沿って互いに間隔をあけて配列されている。
【００６３】
図２は、室内の壁に取り付けられたときのサーキュレータ１を前側から見たときの概略斜視図である。また、図３は、室内の壁に取り付けられたときのサーキュレータ１を後側から見たときの概略斜視図である。なお、上記前側は壁とは反対側を意味する。また、上記後側は壁側を意味する。
【００６４】
上記室内の壁にサーキュレータ１を取り付ける場合、図２，図３に示すように、化粧カバー３１、据付板３２、第１，第２壁固定具３３Ａ，３３Ｂ、第１，第２大カバー３４Ａ，３４Ｂおよび第１，第２小カバー４０Ａ，４０Ｂが使用される。このとき、ユーザは、吹出口２１ｂ（図１に示す）を任意の方向に向けた状態で、室内の壁にサーキュレータ１を取り付けることが可能になっている。より具体的に言うと、室内の壁にサーキュレータ１を取り付けたとき、前側の斜め上方と、前側の斜め下方と、後側の斜め上方と、後側の斜め下方とのうちのいずれかの方向に、吹出口２１ｂを向けることが可能になっている。
【００６５】
ここで、吹出口２１ｂが前側の斜め上方または後側の斜め上方に向いたとき、吸込口２１ａ,２１ａ,…,２１ａ（図１に示す）はサーキュレータ本体２の下側の室内空気を吸い込むことが可能となる。また、吹出口２１ｂが前側の斜め下方に向いたとき、吸込口２１ａ,２１ａ,…,２１ａはサーキュレータ本体２の上側の室内空気を吸い込むことが可能となる。また、吹出口２１ｂが後側の斜め下方に向いたとき、吸込口２１ａ,２１ａ,…,２１ａはサーキュレータ本体２の前側の室内空気を吸い込むことが可能となる。
【００６６】
図４は、ケーシング２１の延在方向に平行な面でケーシング２１などを切ったときの概略断面である。なお、図４では、小円内の部分を拡大して大円内で示し、ケーシング２１内のクロスフローファン２２などの図示を省略している。
【００６７】
第１押さえリング９１Ａは、環状の底部９２Ａと、この底部９２Ａの外周縁部に立設された筒形状の周壁部９２Ｂとからなっている。この底部９２Ａは、ケーシング２１の一端面の外周縁部に設けられた段部２１ｃに嵌合する。また、周壁部９２Ｂは、パンチングメタル２４の軸方向の一端部に外嵌する。第２押さえリング９１Ｂも、第１押さえリング９１Ａと同様に、パンチングメタル２４の軸方向の他端部と、ケーシング２１の一端面とに取り付けられる。
【００６８】
図５は、ケーシング２１の延在方向に垂直面でサーキュレータ１を概略断面図である。ここで、サーキュレータ１は室内の壁に取り付けられる。なお、図５において、補強板９６の図示を省略している。
【００６９】
舌部５３は吸込口２１ａ,２１ａ,…,２１ａと吹出口２１ｂとの間に配置されている。また、舌部５３は、ケーシング２１の内周面に接するが、クロスフローファン２２との間に所定隙間を有する。このような舌部５３により、吸込口２１ａ,２１ａ,…,２１ａからケーシング２１内に吸い込まれた空気がクロスフローファン２２を経由せずに吹出口２１ｂに流れないようになっている。
【００７０】
また、風向羽根５１は、パンチングメタル２４の径方向内側に配置され、パンチングメタル２４で覆われている。
【００７１】
図６は、室内の壁にケーシング２１を取り付けるための方法について説明するための概略斜視図である。また、図７は、室内の壁にケーシング２１を取り付けるための方法について説明するための概略側面図である。
【００７２】
第２壁固定具３３Ｂは、図６，図７に示すように、円板形状の本体部１３１Ｂと、この本体部１３１Ｂの外周縁部に連なる連結部１３２Ｂと、この本体部１３１Ｂの外周縁部に連なる係合部１３９Ｂとで構成されている。
【００７３】
本体部１３１Ｂは、正方形状の貫通孔１３３Ｂを中央部に有する。この貫通孔１３３Ｂの周囲において、例えば、貫通孔１３４Ｂとネジ孔１３４Ｂ’とが交互に４５度の位相間隔で形成されている。すなわち、本体部１３１Ｂは、４個の貫通孔１３４Ｂ，１３４Ｂ，１３４Ｂ，１３４Ｂと、４個のネジ孔１３４Ｂ’，１３４Ｂ’，１３４Ｂ’，１３４Ｂ’とを有する。この４個の貫通孔１３４Ｂ，１３４Ｂ，１３４Ｂ，１３４Ｂと、４個のネジ孔１３４Ｂ’，１３４Ｂ’，１３４Ｂ’，１３４Ｂ’とは、貫通孔１３３Ｂの回転対称の中心を中心として持つ仮想円と交差するように形成される。別の言い方をすれば、貫通孔１３３Ｂの回転対称の中心から各貫通孔１３４Ｂの中心までの距離と、貫通孔１３３Ｂの回転対称の中心から各ネジ孔１３４Ｂ’の中心のまでの距離とは、略同一になっている。また、貫通孔１３４Ｂの径は、ネジ孔１３４Ｂ’の径よりも、大きくなっている。
【００７４】
連結部１３２Ｂは、本体部１３１Ｂの外周縁部から壁に向かって延在する第１延在部１３５Ｂと、この第１延在部１３５Ｂの壁側の端部に連なって壁面に沿って水平方向に延在する第２延在部１３６Ｂと、第２延在部１３６Ｂの先端部から下方に向かって延在する第３延在部１３７Ｂとを有する。この第３延在部１３７Ｂは連結部１３２Ｂの先端部となる。
【００７５】
係合部１３９Ｂは、連結部１３２Ｂとの間に間隔を有し、本体部１３１Ｂの外周縁部から壁に向かって延在する。
【００７６】
また、図１に示すように、第１壁固定具３３Ａは、第２壁固定具３３Ｂと同様に、本体部１３１Ａ、連結部１３２Ａおよび係合部１３９Ａで構成されている。
【００７７】
また、図６，図７に示すように、化粧カバー３１は、パンチングメタル２４の軸方向の長さと略同じ長さに形成され、一部がパンチングメタル２４と据付板３２との間に配置される。また、化粧カバー３１には、第１壁固定具３３Ａの連結部１３２Ｂが挿通される第１貫通孔３１ａと、第２壁固定具３３Ｂの連結部１３２Ｂが挿通される第２貫通孔３１ｂとが形成されている。
【００７８】
据付板３２は、例えばプレス加工で形成されて屈曲部３２ａを有する。この屈曲部３２ａは、パンチングメタル２４の軸方向に沿って延在している。この屈曲部３２ａは第１，第２貫通孔３２ｂ，３２ｃを有する。この第１貫通孔３２ｂは、屈曲部３２ａにおいて化粧カバー３１の第１貫通孔３１ａに対向する部分に形成され、上方に開口している。また、第２貫通孔３２ｃは、屈曲部３２ａにおいて化粧カバー３１の第２貫通孔３１ｂに対向する部分に形成され、上方に開口している。また、第１壁固定具３３Ａの連結部１３２Ａは、先端部が据付板３２の第１貫通孔３２ｂに挿入さて、据付板３２の屈曲部３２ａに係止される。また、第２壁固定具３３Ｂの連結部１３２Ｂは、先端部が据付板３２の第２貫通孔３２ｂに挿入されて、据付板３２の屈曲部３２ａに係止される。
【００７９】
ケーシング２１の他端面の中央部には、第２壁固定具３３Ｂの貫通孔１３３Ｂに嵌合する枠部２１ｄが形成されている。この枠部２１ｄは、正方形状の枠体の一部を切り欠いたような形状を有する。また、枠部２１ｄの周囲には、例えば４つのクリップナット８１，８１，８１，８１が９０度の位相間隔で配置されている。枠部２１ｄが第２壁固定具３３Ｂの貫通孔１３３Ｂに嵌合したとき、４つのクリップナット８１，８１，８１，８１の各ネジ孔が第２壁固定具３３Ｂの貫通孔１３４Ｂに対向するように、枠部２１ｄが形成されている。このとき、４つのクリップナット８１，８１，８１，８１の各ネジ孔に、、貫通孔１３４Ｂに挿通させたネジを螺合させて、ケーシング２１の他端面に第２壁固定具３３Ｂを固定する。また、第２壁固定具３３Ｂのネジ孔１３４Ｂ’，１３４Ｂ’，１３４Ｂ’，１３４Ｂ’に、図１に示す第２大カバー３４Ｂの４つの貫通孔１３８Ｂ，１３８Ｂ，１３８Ｂ，１３８Ｂに挿通させたネジを螺合させて、第２壁固定具３３Ｂに第２大カバー３４Ｂを固定する。また、第２大カバー３４Ｂの凹部に第２小カバー４０Ｂを嵌合させて、第２大カバー３４Ｂの貫通孔１３８Ｂ，１３８Ｂ，１３８Ｂ，１３８Ｂが外部から見えないようにする。
【００８０】
ケーシング２１の一端面も、ケーシング２１の他端面と同様の構造を有する。すなわち、図４に示すように、ケーシング２１の一端面の中央部には、枠部２１ｄと同形状の枠部２１ｅがあり、図１に示すように、例えば４つのクリップナット８１，８１，８１，８１が枠部２１ｅの周囲に配置される。このとき、ケーシング２１の一端面には、第２壁固定具３３Ｂと同様に、第１壁固定具３３Ａがネジで固定される。また、第１壁固定具３３Ａには、第２大カバー３４Ｂと同様に、第１大カバー３４Ａがネジで固定される。このとき、第１大カバー３４Ａの貫通孔１３８Ａ，１３８Ａ，１３８Ａ，１３８Ａは第２小カバー４０Ａで覆われる。
【００８１】
以下、室内の壁にケーシング２１を取り付けるための方法について説明する。なお、据付板３２は、壁の所望箇所に例えばネジで予め固定されているものとする。
【００８２】
まず、図１，図４，図６，図７に示すように、第１壁固定具３３Ａの貫通孔１３３Ｂにケーシング２１の一端面の枠部２１ｅを嵌合させる。そして、ケーシング２１の一端面に第１壁固定具３３Ａをネジで固定した後、第１壁固定具３３Ａに第１大カバー３４Ａをネジで固定する。そして、第１大カバー３４Ａの凹部に第１小カバー４０Ａを嵌合させる。
【００８３】
次に、ケーシング２１の一端面に第１壁固定具３３Ａおよび第１大カバー３４Ａに固定した方法と同様の方法で、ケーシング２１の他端面に第２壁固定具３３Ｂおよび第２大カバー３４Ｂに固定する。また、第２大カバー３４Ｂの凹部には第２小カバー４０Ｂを嵌合させる。
【００８４】
最後に、化粧カバー３１の第１，第２貫通孔３１ａ，３１ｂに第１，第２壁固定具３３Ａ，３３Ｂの連結部１３２Ａ，１３２Ｂおよび係合部１３９Ａ，１３９Ｂを挿通して、第１，第２壁固定具３３Ａ，３３Ｂの連結部１３２Ｂの先端部を据付板３２の第１，第２貫通孔３２ｂ，３２ｃに挿入する。これにより、第１，第２壁固定具３３Ａ，３３Ｂの連結部１３２Ｂの先端部が据付板３２の屈曲部３２ａに係止される。また、第１，第２壁固定具３３Ａ，３３Ｂの係合部１３９Ｂが据付板３２の屈曲部３２ａに係合する。
【００８５】
このように、上記室内の壁にケーシング２１を取り付けるとき、ケーシング２１を周方向に９０度回転させて、第１，第２壁固定具３３Ａ，３３Ｂの各貫通孔１３４Ｂと各クリップナット８１のネジ孔との対向関係を変更させると、前側の斜め上方と、前側の斜め下方と、後側の斜め上方と、後側の斜め下方とのうちのいずれかの方向に向けることができる。
【００８６】
以下、室内の鉛直方向の温度むらをサーキュレータ１で解消する方法について説明する。なお、この説明では、壁側を後側とし、壁とは反対側を前側と言う。
【００８７】
上記室内の鉛直方向の温度むらをサーキュレータ１で解消する場合、図８に示すように、吸込口２１ａ,２１ａ,…,２１ａが下側を向き、かつ、吹出口２１ｂが前側の斜め上方を向くように、室内の壁にケーシング２１を取り付ける。別の言い方をすれば、室内の壁にケーシング２１を取り付けた状態で、室内空気が吸込口２１ａ,２１ａ,…,２１ａに吸い込まれて吹出口２１ｂから吹き出されるとき、図９に示すように、矢印Ａ１１，Ａ１２に沿うような室内空気の流れが発生するように、吸込口２１ａ,２１ａ,…,２１ａおよび吹出口２１ｂを位置決めする。
【００８８】
このようなケーシング２１の取り付けを行うと、吹出口２１ｂから吹き出された室内空気は、仮想直線Ｌ１１と仮想直線Ｌ１２とで挟まれる領域を流れる。このとき、仮想直線Ｌ１１近傍において、最大風量および最大風速が得られる。
【００８９】
また、例えば、図１０に示すように、空気調和機の室内機１１が冷房運転を行っているとき、サーキュレータ１は、室内の下部空間に集中する冷気を、室内の上部空間に送ることができる。また、上記冷気が室内の上部空間に送られると、室内の上部空間の暖気を室内機１１へ流すこともできる。
【００９０】
また、例えば、図１１に示すように、室内機１１が暖房運転を行っているとき、サーキュレータ１は、室内の下部空間の一部に残る冷気を、室内の上部空間に送ることができる。また、上記冷気が室内の上部空間側に移動することにより、その冷気が残っていた空間に暖気を流すことができる。
【００９１】
したがって、冷房運転時および暖房運転時、室内空気を鉛直方向に沿うように循環させることができるので、室内の鉛直方向の温度むらを低減することができる。
【００９２】
なお、図９の仮想直線Ｌ１１は、略水平方向に沿って延在する仮想線である。また、図１０，図１１において、サーキュレータ１が取り付けられている壁は、室内機１１が取り付けられている壁に対向する。
【００９３】
以下、室内の水平方向の温度むらをサーキュレータ１で解消する方法について説明する。なお、この説明では、壁側を後側とし、壁とは反対側を前側と言う。
【００９４】
上記室内の水平方向の温度むらをサーキュレータ１で解消する場合、図１２に示すように、吸込口２１ａ,２１ａ,…,２１ａが上側を向き、かつ、吹出口２１ｂが前側の斜め下方を向くように、室内の壁にケーシング２１を取り付ける。別の言い方をすれば、室内の壁にケーシング２１を取り付けた状態で、室内空気が吸込口２１ａ,２１ａ,…,２１ａに吸い込まれて吹出口２１ｂから吹き出されるとき、図１３に示すように、矢印Ａ２１，Ａ２２に沿うような室内空気の流れが発生するように、吸込口２１ａ,２１ａ,…,２１ａおよび吹出口２１ｂを位置決めする。
【００９５】
このようなケーシング２１の取り付けを行うと、吹出口２１ｂから吹き出された室内空気は、仮想直線Ｌ２１と仮想直線Ｌ２２とで挟まれる領域を流れる。このとき、仮想直線Ｌ２１近傍において、最大風量および最大風速が得られる。
【００９６】
また、例えば、図１４に示すように、室内の空間が平面視Ｌ字形状を呈するとき、室内機１１だけでは、室内機１１で空調された空気（例えば冷気または暖気）が室内の空間の一部（以下、「死角空間」と言う。）に供給され難くなるという問題が生じる。
【００９７】
そこで、上記問題を解決するため、室内において死角空間に対向する壁に、サーキュレータ１を取り付ける。このとき、上記壁へのケーシング２１の取り付けは、図１３の矢印Ａ２１，Ａ２２に沿うような室内空気の流れが生じるように行う。その結果、サーキュレータ１は、図１４に示すように、死角空間に冷気または暖気を送ることができる。
【００９８】
したがって、冷房運転時および暖房運転時、サーキュレータ１は室内機１１で空調された空気を死角空間に送ることができるので、室内の水平方向の温度むらを低減することができる。
【００９９】
なお、図１３の仮想直線Ｌ２１は、略水平方向に沿って延在する仮想線である。
【０１００】
以下、サーキュレータ１でエアカーテンを発生させる方法について説明する。なお、この説明では、壁側を後側とし、壁とは反対側を前側と言う。
【０１０１】
上記サーキュレータ１でエアカーテンを発生させる場合、図１５に示すように、吸込口２１ａ,２１ａ,…,２１ａが前側を向き、かつ、吹出口２１ｂが後側の斜め下方を向くように、壁にケーシング２１を取り付ける。別の言い方をすれば、壁にケーシング２１を取り付けた状態で、室内空気が吸込口２１ａ,２１ａ,…,２１ａに吸い込まれて吹出口２１ｂから吹き出されるとき、図１６に示すように、矢印Ａ３１，Ａ３２に沿うような室内空気の流れが発生するように、吸込口２１ａ,２１ａ,…,２１ａおよび吹出口２１ｂを位置決めする。
【０１０２】
このようなケーシング２１の取り付けを行うと、吹出口２１ｂから吹き出された室内空気は、仮想直線Ｌ３１と仮想直線Ｌ３２とで挟まれる領域を流れる。このとき、仮想直線Ｌ３１近傍において、最大風量および最大風速が得られる。
【０１０３】
また、例えば、図１７に示すように、室内の出入口にドアがないと、室内機１１が室内の空気を空調しても、空調された空気が出入口から室外に流出して、空調効率が低くなるという問題が生じる。
【０１０４】
そこで、上記問題を解決するため、図１６の矢印Ａ３１，Ａ３２に沿うような室内空気の流れが生じるように、室内において出入口の上側の壁に、ケーシング２１を取り付ける。その結果、サーキュレータ１によって、図１７に示すように、出入口の上側から下側に向かう空気流が生じる。すなわち、出入口のエアカーテンを作ることができる。
【０１０５】
したがって、冷房運転時、暖房運転時などにおいて、室内空気が出入口から流出するのをエアカーテンで抑制できるので、空調効率を上げることができる。
【０１０６】
なお、図１６の仮想直線Ｌ３１は、略鉛直方向に沿って延在する仮想線である。
【０１０７】
図１８は、室内の床上に設置されたサーキュレータ１の概略斜視図である。
【０１０８】
上記室内の床上にサーキュレータ本体２を設置するとき、第１大カバー３４Ａ、据付台３５および第１小カバー４０Ａが使用される。より詳しく説明すると、ケーシング２１の一端面の各クリップナット８１に、第１大カバー３４Ａの貫通孔１３８Ａに挿通させたネジを螺合させる。これにより、第１大カバー３４Ａはケーシング２１の一端面にネジで固定される。また、ケーシング２１の他端面の各クリップナット８１のネジ孔には、据付台３５の貫通孔に挿通させたネジを螺合させる。これにより、据付台３５がケーシング２１の他端面にネジで固定される。このとき、据付台３５の上面に設けられた凹部にサーキュレータ本体２の図中下側端部が嵌合して、ケーシング２１が据付台３５で支持される。なお、ケーシング２１の一端面と第１大カバー３４Ａとの間には、第１壁固定具３３Ａを介在させない。また、ケーシング２１の他端面と据付台３５との間には、第２壁固定具３３Ｂを介在させない。
【０１０９】
上記構成のサーキュレータ１では、室内の床上にサーキュレータ本体２を設置することが可能である。したがって、室内の床上にサーキュレータ本体２を設置すると、室内の下部空間の空気を効果的に撹拌することができる。
【０１１０】
また、サーキュレータ本体２は、室内の壁に取り付けることも可能である。したがって、室内の壁にサーキュレータ本体２を取り付けると、室内の上部空間の空気を効果的に撹拌することができる。
【０１１１】
このように、サーキュレータ１は、使用態様が一つに限定されないので、利便性が高いくなっている。
【０１１２】
また、吹出口２１ｂを任意の方向に向けた状態でサーキュレータ本体２を室内の壁に取り付けることが可能になっているので、利便性をさらに向上させることができる。
【０１１３】
また、据付台３５はケーシング２１の他端面にネジで固定されるが、このネジを緩めることにより、ケーシング２１の他端面から据付台３５を取り外すことができる。したがって、室内の床上にサーキュレータ本体２を設置した後でも、サーキュレータ本体２の設置場所を室内の壁に変更することができる。すなわち、室内の床上にサーキュレータ本体２を設置しても、サーキュレータ１の使用態様は減少しない。
【０１１４】
また、パンチングメタル２４がケーシング２１の外周面を覆うので、外部からケーシング２１が見え難くなり、美観を向上させることができる。
【０１１５】
また、パンチングメタル２４が風向羽根５１を覆うので、外部から風向羽根５１が見え難くなり、美観の低下を抑制することができる。
【０１１６】
また、パンチングメタル２４が各吸込口２１ａおよび吹出口２１ｂに覆うので、パンチングメタル２４で埃を捕獲することができる。したがって、パンチングメタル２４と各吸込口２１ａおよび吹出口２１ｂとの間にフィルタを配置しなくて済む。
【０１１７】
また、パンチングメタル２４と各吸込口２１ａおよび吹出口２１ｂとの間にフィルタを配置していないので、パンチメタルを清掃するとき、パンチングメタル２４の清掃性は良好である。
【０１１８】
また、パンチングメタル２４が各吸込口２１ａおよび吹出口２１ｂに覆うので、各吸込口２１ａに吸い込まれる風の乱れと、吹出口２１ｂから吹き出される風の乱れとを、パンチグメタルで整えて、静音効果が得られる。
【０１１９】
また、パンチングメタル２４が各吸込口２１ａおよび吹出口２１ｂを覆うので、ユーザの指が各吸込口２１ａおよび吹出口２１ｂに挿入されるのを防いで、安全性を高めることができる。
【０１２０】
また、パンチングメタル２４の開口の大きさや形状を変更したり、パンチングメタル２４の色を変更したりすることにより、ユーザの好みの外観にすることができる。
【０１２１】
また、パンチングメタル２４の開口率は、例えば、７０％以上に設定するのが好ましく、８０％以上に設定するのがより好ましい。
【０１２２】
また、パンチングメタル２４の軸方向の両端近傍における開口は、第１，第２押さえリング９１Ａ，９１Ｂで覆われるので、美観の低下を抑制することができる。
【０１２３】
上記第１実施形態では、水平面に対して略垂直な壁にサーキュレータ１を取り付けていたが、水平面に対して傾斜する壁にサーキュレータ１を取り付けたり、天井にサーキュレータ１を取り付けたりしてもよい。
【０１２４】
上記第１実施形態では、パンチングメタル２４は、ケーシング２１の外周面の全部を覆っていたが、ケーシング２１の外周面の一部だけを覆うようにしてもよい。
【０１２５】
上記第１実施形態では、据付台３５は、第１，第２台部材３６，３７で構成されていたが、１つの部材で構成されるようにしたり、３つ以上の部材で構成されるようにしたりしてもよい。
【０１２６】
上記第１実施形態では、据付台３５は、ケーシング２１の他端面にネジで固定されていたが、ケーシング２１の一端面にネジで固定することも可能である。但し、ケーシング２１の一端面側の部分よりもケーシング２１の他端面側の部分の方が重くなっているので、安定性を考慮すると、ケーシング２１の他端面に据付台３５をネジで固定するのが好ましい。
【０１２７】
上記第１実施形態では、第１壁固定具３３Ａに、第１大カバー３４Ａをネジで固定していたが、図２０に示すスピーカ内蔵カバー１５０をネジで固定してもよい。このスピーカ内蔵カバー１５０は、Ｂｌｕｅｔｏｏｔｈ（登録商標）の通信規格などを利用をして、他の機器から音声データを無線で受信し、その音声データに対応する音を出力する。
【０１２８】
また、スピーカ内蔵カバー１５０は、ケーシング２１の一端面側とケーシング２１の他端面側とのうちの一方側のみに配置してもよいし、ケーシング２１の一端面側とケーシング２１の他端面側との両側に配置してもよい。
【０１２９】
上記第１実施形態では、第１壁固定具３３Ａに、第１大カバー３４Ａをネジで固定していたが、図２１に示すアロマカバー１６０をネジで固定してもよい。このアロマカバー１６０には貫通孔（図示せず）が設けられており、アロマカバー１６０内の空間とアロマカバー１６０外の空間とが上記貫通孔を介して連痛する。ユーザは、上記貫通孔からアロマカバー１６０内の空間にアロマオイルを注入することが可能となっている。アロマカバー１６０内の空間にアロマオイルを注入すると、上記貫通孔から香気が放出される。すなわち、上記貫通孔は香気を放出する役割も果たす。
【０１３０】
また、アロマカバー１６０は、ケーシング２１の一端面側とケーシング２１の他端面側とのうちの一方側のみに配置してもよいし、ケーシング２１の一端面側とケーシング２１の他端面側との両側に配置してもよい。
【０１３１】
〔第２実施形態〕
図２１は、この開示の第２実施形態の送風システムのブロック図である。
【０１３２】
送風システムは、室内に設置されたサーキュレータ２０１の他に、サーキュレータ２０１と通信する屋外のサーバ２０５と、このサーバ２０５と通信する移動通信携帯端末２０６とを備える。
【０１３３】
サーキュレータ２０１は、表示部７１と、ファンモータ２３と、ステッピングモータ５２と、無線通信部２５５と、例えばサーバ２０５から無線通信部２５５を介して取得した制御プログラムなどを記憶するメモリ２５６とを備える。
【０１３４】
また、サーキュレータ２０１は、上記第１実施形態のサーキュレータ２０１と同様に、クロスフローファン２２（図１に示す）なども有している。
【０１３５】
無線通信部２５５は、無線ＬＡＮルータ２０４に無線で通信接続され、無線アクセスポイントを介してサーバ２０５と通信する。より詳しくは、無線通信部２５５は、例えばＷｉ-Ｆｉ（ワイファイ：ブランド名）の通信規格を用い、無線ＬＡＮルータ２０４を介して、サーバ２０５に情報を送信したり、サーバ２０５から情報を受信したりする。また、サーバ２０５と無線ＬＡＮルータ２０４との間の通信は、例えば、電気通信網または光通通信網を介して行われる。なお、無線ＬＡＮルータ２０４は、外部装置の一例である。
【０１３６】
無線ＬＡＮルータ２０４は、ＷＰＳ（ワイファイ・プロテクテッド・セットアップ）機能に対応可能なＷｉ-Ｆｉルータである。
【０１３７】
メモリ２５６は、例えば、記憶した情報を書き換えることが可能であり、サーキュレータ２０１の電源を切っても、記憶した情報が消えない不揮発性半導体メモリである。また、メモリ２５６には、ＷＰＳ機能を実現するためのプログラムなどの各種プログラムを予め記憶させている。
【０１３８】
また、サーキュレータ２０１は制御装置２６１を備える。この制御装置２６１は、無線通信部２５５、マイクロコンピュータなどを有し、表示部７１、ファンモータ２３、ステッピングモータ５２などを制御する。また、制御装置２６１は、無線通信部２５５との間で情報を送受信する。
【０１３９】
制御装置２６１はモータ制御部２６１ａを有する。このモータ制御部２６１ａは、無線通信部２５５で受信した情報に基づいて、ファンモータ２３およびステッピングモータ５２を制御する。
【０１４０】
サーバ２０５は、サーキュレータ２０１からの情報を受信して保存したり、移動通信携帯端末２０６からの情報を受信して保存したりする。例えば、サーキュレータ２０１による送風が行われている否かを示す送風情報が、サーキュレータ２０１からの情報としてサーバ２０５に保存されている場合、移動通信携帯端末２０６は、サーバ２０５に通信接続することにより、サーバ２０５から送風情報を取得して、この送風情報をユーザに伝えることができるようになっている。一方、例えば、送風の開始または停止に関する設定情報が、移動通信携帯端末２０６からの情報としてサーバ２０５に保存されている場合、サーキュレータ２０１は、サーバ２０５に通信接続して、サーバ２０５から上記設定情報を取得して、この設定情報にしたがって、送風を行ったり、止めたりすることができるようになっている。
【０１４１】
移動通信携帯端末２０６は、スマートフォン（多機能携帯電話）であり、サーバ２０５との間で無線通信を行って、サーバ２０５に情報を送信したり、サーバ２０５から情報を受信したりする。このとき、移動通信携帯端末２０６は携帯通信網を介してサーバ２０５に通信接続される。
【０１４２】
上記構成の送風システムでは、ユーザは、移動通信携帯端末２０６を使って、サーキュレータ２０１による送風が行われている否かを示す送風情報をサーバ２０５から取得できるので、外出していても、サーキュレータ２０１のオンオフを確認することができる。
【０１４３】
また、ユーザは、移動通信携帯端末２０６を使って、送風の開始に関する設定情報をサーバ２０５に保存することにより、その設定情報に応じてサーキュレータ２０１の送風が行われるので、外出していても、サーキュレータ２０１をオンさせることができる。
【０１４４】
また、移動通信携帯端末２０６は、サーバ２０５を介さずに、無線ＬＡＮルータ２０４に無線で通信接続することができる。したがって、ユーザは、移動通信携帯端末２０６とサーバ２０５との間で送受信した情報の量を気にせずに、サーキュレータ２０１のオンオフを確認したり、サーキュレータ２０１をオンオフさせたりすることができる。
【０１４５】
このように、サーキュレータ２０１が無線通信部２５５を備えることにより、サーキュレータ２０１の利便性を向上させることができる。
【０１４６】
また、移動通信携帯端末２０６をサーキュレータ２０１のリモコンとして使えるので、サーキュレータ２０１にリモコンを付属して販売しなくて済む。
【０１４７】
上記第２実施形態では、モータ制御部２６１ａは、ファンモータ２３およびステッピングモータ５２を制御していが、ファンモータ２３だけを制御するようにしてもよい。
【０１４８】
上記第２実施形態では、移動通信携帯端末２０６は、スマートフォンであったが、例えば、通信機能を有するタブレット端末またはノートパソコンであってもよい。
【０１４９】
上記第２実施形態では、サーキュレータ２０１は、移動通信携帯端末２０６を操作することで、オンオフできるようになっていたが、移動通信携帯端末２０６以外の装置（例えばデスクトップパソコン）を操作することで、オンオフしてもよい。この場合、上記装置は、無線ＬＡＮルータ２０４と無線で通信接続されるものであってもよいし、無線ＬＡＮルータ２０４と有線で通信接続されるものであってもよい。
【０１５０】
上記第２実施形態では、移動通信携帯端末２０６とサーキュレータ２０１との間の情報の送受信は、少なくとも無線ＬＡＮルータ２０４が介在していたが、無線ＬＡＮルータ２０４が介在しないようにしてもよい。このようにする場合、例えば、移動通信携帯端末２０６が、Ｂｌｕｅｔｏｏｔｈ（登録商標）の通信規格などを利用をして、サーキュレータ２０１と直接情報を送受信するようにしてもよい。この場合、移動通信携帯端末２０６は、外部装置の一例となる。
【０１５１】
上記第２実施形態では、モータ制御部２６１ａは、ソフトウェアによって構成されてもよいし、ハードウェアで構成されてもよい。
【０１５２】
〔第３実施形態〕
図２２は、この開示の第３実施形態の室内環境調整システムが備える室内機３１１を前側から見たときの概略斜視図である。なお、図２２では、室内の壁に取り付けられた室内機３１１が示されている。
【０１５３】
上記室内環境調整システムは、室内機３１１の他に、サーキュレータ３０１（図２３に示す）を備える。
【０１５４】
室内機３１１は、空気調和機の一部を構成するもので、室外機（図示せず）と冷媒配管などを介して接続される。この室内機３１１のケーシング３１２では、吸込口３１２ａが上部に設けられ、かつ、吹出口３１２ｂが下部に設けられている。この吹出口３１２ｂには風向羽根３１３が回動可能に取り付けられている。空調運転が行われていないとき、風向羽根３１３は吹出口３１２ｂを閉鎖する姿勢を取る。その後、空調運転が開始されると、図示しないが、風向羽根３１３は、回動して、吹出口３１２ｂを開放する姿勢を取る。
【０１５５】
また、図示しないが、ケーシング３１２内には、熱交換器、クロスフローファン２２などが配置されている。吸込口からケーシング３１２内に吸い込まれた室内空気は、熱交換器と熱交換した後、クロスフローファン２２を経由して、吹出口から室内に吹き出される。
【０１５６】
図２４は、上記室内環境調整システムのブロック図である。
【０１５７】
室内機３１１は、マイクロコンピュータなどからなる制御装置３１３と、サーキュレータ３０１の無線通信部３５５と無線で通信接続される無線通信部３１４とを有する。ここで、無線通信部３１４は、Ｂｌｕｅｔｏｏｔｈ（登録商標）などの通信規格を用いて、サーキュレータ３０１の無線通信部３５５と直接通信する。
【０１５８】
制御装置３１３は、ソフトウェアによって構成された運転状況報知部３１３ａを有する。この運転状況報知部３１３ａは、室内機３１１の運転状況をサーキュレータ３０１に報知するためのものである。より詳しく説明すると、室内機３１１の運転が開始すると、運転状況報知部３１３ａは、室内機３１１の運転が開始したことを示す報知信号をサーキュレータ３０１の無線通信部３５５に送る。また、室内機３１１の運転が停止すると、運転状況報知部３１３ａは、室内機３１１の運転が停止したことを示す報知信号をサーキュレータ３０１の無線通信部３５５に送る。なお、室内機３１１の運転とは、冷房運転、暖房運転、除湿運転などを意味する。
【０１５９】
サーキュレータ３０１は、室内機３１１が設置されている室内に設置されており、表示部７１と、ファンモータ２３と、ステッピングモータ５２と、無線通信部３５５と、マイクロコンピュータなどからなる制御装置２６１とを有する。
【０１６０】
また、サーキュレータ３０１は、上記第１実施形態のサーキュレータ３０１と同様に、クロスフローファン２２（図１に示す）なども有している。
【０１６１】
制御装置２６１は、室内機３１１の制御装置２６１と同様に、マイクロコンピュータなどからなり、検出部３６１ａおよび運転制御部３６１ｂを有する。
【０１６２】
検出部３６１ａは、室内機３１１の運転状態を検出する。より詳しく説明すると、室内機３１１の無線通信部３１４からサーキュレータ３０１の無線通信部３５５に報知信号が送られたとき、この報知信号がサーキュレータ３０１の制御装置２６１に入力される。検出部３６１ａは、上記報知信号に基づいて、室内機３１１の運転状況を検出する。
【０１６３】
運転制御部３６１ｂは、検出部３６１ａによって検出された室内機３１１の運転状態に基づいて、サーキュレータ３０１の運転を制御する。より詳しく説明すると、室内機３１１の運転が開始したことを示す報知信号がサーキュレータ３０１の制御装置３６１に入力されたとき、制御装置３６１は、ファンモータ２３を制御して、所定回転数でクロスフローファン２２を回転させる。一方、室内機３１１の運転が停止したことを示す報知信号がサーキュレータ３０１の制御装置３６１に入力されたとき、制御装置３６１は、ファンモータ２３を制御して、クロスフローファン２２を停止させる。
【０１６４】
上記構成の室内環境調整システムでは、室内機３１１が、ユーザの操作に応じて、運転を開始すると、室内機３１１の運転が開始したことが検出部３６１ａによって検出される。その結果、運転制御部３６１ｂの制御により、クロスフローファン２２が回転するので、室内機３１１による室内の空調を自動的に補助することができる。
【０１６５】
また、室内機３１１が、ユーザの操作に応じて、運転を停止すると、室内機３１１の運転が停止したことが検出部３６１ａによって検出される。その結果、運転制御部３６１ｂの制御により、クロスフローファン２２が停止するので、ユーザはサーキュレータ３０１の停止操作を行わずに済む。
【０１６６】
このように、運転制御部３６１ｂの制御により、室内機３１１の運転の停止に応じて、サーキュレータ３０１の運転が連動するので、サーキュレータ３０１の運転に関してユーザの負担を軽減することができる。
【０１６７】
上記第３実施形態では、空気調和機の室内機３１１は、シングルエアコンの室内機３１１であってもよいし、マルチエアコンの室内機３１１であってもよい。
【０１６８】
上記第３実施形態では、サーキュレータ３０１は、空気調和機の室内機３１１と連動していたが、空気清浄機、エコキュート、床暖房、セラムヒートなどと連動するようにしてもよい。
【０１６９】
上記第３実施形態では、室内機３１１の無線通信部３１４は、サーキュレータ３０１の無線通信部３５５と直接的に通信していたが、上記第２実施形態のように、例えば無線ＬＡＮルータ２０４を介して、サーキュレータ３０１の無線通信部３５５と間接的に通信をしてもよい。
【０１７０】
上記第３実施形態では、室内機３１１の運転の開始に連動して、室内機３１１の運転が開始した後、サーキュレータ３０１の風量は、停止するまで略一定となるようにしていたが、適宜変更されるようにしてもよい。このようにする場合、例えば、室内の温度ムラを低減する観点上、室内機３１１の風量の減少に応じて、サーキュレータ３０１の風量を増加させる一方、室内機３１１の風量の増加に応じて、サーキュレータ３０１の風量を低下させる。あるいは、ユーザがサーキュレータ３０１の運転音をうるさいと感じ難いようにする観点上、室内機３１１の風量の減少に応じて、サーキュレータ３０１の風量を減少させる一方、室内機３１１の風量の増加に応じて、サーキュレータ３０１の風量を増加させる。
【０１７１】
上記第３実施形態では、サーキュレータ３０１に換えて、図２５に示すように、センサユニット３７２を備えたサーキュレータ３０１’を用いてもよい。このようにする場合、例えば、風量変更部３６１ｃを有する制御装置３６１’を用いる。なお、センサユニット３７２は、室内環境検出部の一例である。
【０１７２】
センサユニット３７２は、室内の温度を検出する温度センサ３７３と、室内の湿度を検出する湿度センサ３７４と有している。このセンサユニット３７２は、室内の温度を示す信号と、室内の湿度を示す信号とを、制御装置３６１’に出力する。このとき、風量変更部３６１ｃは、それらの信号に基づいて、サーキュレータ３０１’の風量を変更する。より詳しく説明すると、冷房運転時および暖房運転時、室内の温度が所定温度より高かったり、室内の湿度が所定湿度より高かったりすると、風量変更部３６１ｃが、ファンモータ２３の回転数を上げる。逆に、冷房運転時および暖房運転時、室内の温度が所定温度より低かったり、室内の湿度が所定湿度より低かったりすると、風量変更部３６１ｃが、ファンモータ２３の回転数を下げる。
【０１７３】
エアカーテンを作るためにサーキュレータを使用しないのであれば、他の風量変更部を用いてもよい。この他の風量変更部は、温度センサ３７３が検出した室内の温度と、室内機３１１の温度センサ３７３が検出した室内の温度との差が、所定値より大きいとき、ファンモータ２３の回転数を上げる一方、その差が所定値より小さいとき、ファンモータ２３の回転数を下げる。このようにする場合、上記差が所定値より大きいとき、所定時間経過しても、上記差の変化量が所定量よりも小さいとき、吹出口から吹き出させる風の向きを変更したり、ファンモータ２３の回転数を下げたりしてもよい。
【０１７４】
センサユニット３７２が、温度センサ３７３および湿度センサ３７４を有していたが、温度センサ３７３または湿度センサ３７４だけを有するだけにしてもよいし、他のセンサ（例えば、埃センサ、花粉センサなど）を有するようにしてもよい。
【０１７５】
例えば、赤外線センサ、ドップラーセンサなどの人感知センサを有するセンサユニットを用いる場合、エアカーテンを作るためにサーキュレータを使用してなければ、吹出口から吹き出させる風が人に向かうように、風向羽根を制御してもよい。
【０１７６】
また、室内の温度ムラが発生している場所を検出可能なセンサユニットを用いる場合、エアカーテンを作るためにサーキュレータを使用してなければ、サーキュレータの吹出口から吹き出させる風が上記場所に送られるように、その吹出口に配置された風向羽根を制御してもよい。
【０１７７】
また、サーキュレータと床との距離を検出する距離センサを有するセンサユニットを用いる場合、距離センサが検出した距離に応じて、ファンモータの回転数が設定されるようにしてもよい。
【０１７８】
また、室内機３１１が検出した室内の温度の時間変化と、サーキュレータ３０１の風量との関係が学習されるようにしてもよい。このようにする場合、例えば、暖房運転時、サーキュレータの風量が中風量または大風量であると、室内機３１１が検出した室内の温度が上昇する一方、サーキュレータの風量が小風量であると、室内機３１１が検出した室内の温度が一定または低下していくとき、サーキュレータの風量は中風量または大風量となるようにして、室内の温度が維持されるようにする。
【０１７９】
また、温度調整が不要な空間（例えば、階段がある空間）にサーキュレータが設置される場合、サーキュレータの風量は小風量で固定されるようにしてもよい。
【０１８０】
〔第４実施形態〕
図２５は、この開示の第４実施形態のサーキュレータ４０１を後側からみたときの概略斜視図である。ここで、サーキュレータ４０１は壁に取り付けられる。なお、上記後側は壁側を意味する。また、他の部材と区別し易くするため、照明装置４７５にはハッチングを付している。
【０１８１】
サーキュレータ４０１は、サーキュレータ本体２と壁との間に配置される照明装置４７５を備える点が、上記第１実施形態のサーキュレータ４０１と異なる。
【０１８２】
照明装置４７５は、化粧カバー３１の上面に取り付けられ、化粧カバー３１の延在方向と同じ方向に延在する。この照明装置４７５は、例えば、複数のＬＥＤ（発光ダイオード）を有して、ライン状の光を天井に向けて出出射する。
【０１８３】
上記構成のサーキュレータ４０１は、サーキュレータ本体２と壁との間に照明装置４７５が配置されているので、室内を照らすことできる。
【０１８４】
また、照明装置４７５が室内の天井に向けて光を照射するので、天井からの間接光で室内を照らすことができる。
【０１８５】
上記第４実施形態では、サーキュレータ４０１は、室内の壁に取り付けらえていたが、室内の天井に取り付けられてもよい。
【０１８６】
上記第４実施形態では、サーキュレータ本体２と壁との間に、ライン状に発光する発光装置を設置していたが、スポット状に発光する発光装置を単数または複数設置してもよい。
【０１８７】
本開示の具体的な実施の形態について説明したが、本開示は上記第１〜第４実施形態おおよびその変形例に限定されるものではなく、本開示の範囲内で種々変更して実施することができる。例えば、上記第１〜第４実施形態で記載した内容の一部を削除または置換したものを、本開示の一実施形態としてもよい。また、第１実施形態のサーキュレータ１および変形例を第２〜第４実施形態で適用してもよい。
【符号の説明】
【０１８８】
１，２０１，３０１，３０１’，４０１  サーキュレータ
２  サーキュレータ本体
３  付属品群３
１１，３１１  室内機
２１  ケーシング
２１ａ  吸込口
２１ｂ  吹出口
２２  クロスフローファン
２３  ファンモータ
２４  パンチングメタル
３１  化粧カバー
３２  据付板
３３Ａ  第１壁固定具
３３Ｂ  第２壁固定具
３４Ａ  第１大カバー
３４Ｂ  第２大カバー
４０Ａ  第１小カバー
４０Ｂ  第２小カバー
４１  底フレーム
４２  グリル
５２  ステッピングモータ
６１，２６１，３１３，３６１  制御装置
９６  補強板
１５０  スピーカ内蔵カバー
１６０  アロマカバー
２０４  無線ＬＡＮルータ
２０５  サーバ
２０６  移動通信携帯端末
２５５，３１４，３５５  無線通信部
３１３ａ  運転状況報知部
３６１ａ  検出部
３６１ｂ  運転制御部
３７２  センサユニット
３７３  温度センサ
３７４  湿度センサ